【誤訳訂正書】
【提出日】令和3年9月16日(2021.9.16)
【誤訳訂正１】
【訂正対象書類名】特許請求の範囲
【訂正対象項目名】全文
【訂正方法】変更
【訂正の内容】
【特許請求の範囲】
【請求項１】
第１のモードにおいて、第１のホッピングパターン（１４０＿１）および第２のホッピングパターン（１４０＿２）を繰り返し使用してデータを送信するように構成されるデータ送信機（１００）であって、
前記データ送信機（１００）は、第２のモードにおいて第３のホッピングパターン（１４０）を１回使用してデータ（１２０）を送信するように構成され、
前記第１のモードの前記ホッピングパターンのホップおよび前記第２のモードの前記ホッピングパターンのホップは時間および／または周波数において異なって分散されるように前記第１のモードおよび前記第２のモードのホッピングパターンは異なり、
前記データ送信機（１００）は、前記第１のホッピングパターン（１４０＿１）および前記第２のホッピングパターン（１４０＿２）を、ホッピングパターンの第１のセットから選択し、前記第３のホッピングパターン（１４０）を、ホッピングパターンの第２のセットから選択するように構成され、
前記ホッピングパターンの第１のセットのホッピングパターンおよび前記ホッピングパターンの第２のセットのホッピングパターンは異なる、データ送信機（１００）。
【請求項２】
前記データ送信機（１００）は、データ受信機（１１０）との接続を確立するため、前記第１のホッピングパターン（１４０＿１）、前記第２のホッピングパターン（１４０＿２）および／または前記第３のホッピングパターン（１４０）を、ホッピングパターンの第３のセットから選択するように構成される、請求項１記載のデータ送信機（１００）。
【請求項３】
前記第１のホッピングパターン（１４０＿１）および前記第２のホッピングパターン（１４０＿２）は周波数および／または時間的において互いに相対的にシフトされ、前記第１のホッピングパターン（１４０＿１）および前記第２のホッピングパターン（１４０＿２）は少なくとも部分的にインターリーブされている、請求項１〜２の何れか１項に記載のデータ送信機。
【請求項４】
前記第１のホッピングパターン（１４０＿１）と前記第２のホッピングパターン（１４０＿２）とは異なる、請求項１〜３の何れか１項に記載のデータ送信機（１００）。
【請求項５】
前記第２のホッピングパターン（１４０＿２）は、前記第１のホッピングパターン（１４０＿１）の、周波数をシフトしたバージョンおよび／または時間をシフトしたバージョンである、請求項１〜４の何れか１項に記載のデータ送信機（１００）。
【請求項６】
前記第１のホッピングパターン（１４０＿１）と前記第２のホッピングパターン（１４０＿２）とは同一であり、時間および／または周波数においてシフトされただけである、請求項５に記載のデータ送信機（１００）。
【請求項７】
前記データ送信機（１００）は、前記第１のホッピングパターン（１４０＿１）および前記第２のホッピングパターン（１４０＿２）を異なる周波数帯で送信するように構成されている、請求項１〜６の何れか１項に記載のデータ送信機（１００）。
【請求項８】
前記データ送信機（１００）は、前記第１のホッピングパターン（１４０＿１）または前記第２のホッピングパターン（１４０＿２）を、少なくとも２つの異なる周波数帯のうちの１つでランダムに送信するように構成されている、請求項７に記載のデータ送信機（１００）。
【請求項９】
前記データ送信機（１００）は、前記第１のホッピングパターン（１４０＿１）および前記第２のホッピングパターン（１４０＿２）を少なくとも部分的に重畳する周波数帯で送信するように構成されている、
請求項１〜８の何れか１項に記載のデータ送信機。
【請求項１０】
前記データ送信機（１００）は、前記データ送信機（１００）の演算パラメータに依存して、前記第１のホッピングパターン（１４０＿１）と前記第２のホッピングパターン（１４０＿２）との間の時間オフセットを決定するように構成されている、請求項１〜９の何れか１項に記載のデータ送信機。
【請求項１１】
前記データ送信機（１００）は、前記データ送信機（１００）の演算パラメータに依存して、前記第１のホッピングパターン（１４０＿１）と前記第２のホッピングパターン（１４０＿２）との間の周波数オフセットを決定するように構成されている、請求項１〜１０の何れかに記載のデータ送信機。
【請求項１２】
前記データ送信機（１００）の前記演算パラメータは前記データ送信機（１００）自体の固有のパラメータである、請求項１０または請求項１１に記載のデータ送信機。
【請求項１３】
前記データ送信機（１００）の前記固有のパラメータは、アドレス指定情報、識別情報、クォーツ許容差、周波数オフセットまたは利用可能な送信エネルギーである、請求項１２に記載のデータ送信機。
【請求項１４】
前記データ送信機（１００）の前記演算パラメータは前記データ送信機（１００）に割当てられているパラメータである、請求項１０または１１に記載のデータ送信機。
【請求項１５】
前記データ送信機（１００）に割当てられた前記パラメータは、割当てられた周波数オフセット、割当てられた時間オフセット、無線セル、地理的位置、システム時刻、あるいは前記データ送信機または前記データ（１２０）の優先度である、請求項１４に記載のデータ送信機。
【請求項１６】
前記データ送信機（１００）の前記演算パラメータはペイロードデータまたはエラー保護データの少なくとも一部である、請求項１０または請求項１１に記載のデータ送信機。
【請求項１７】
前記データ送信機（１００）の前記演算パラメータは、ランダムな周波数オフセットまたはランダムな時間オフセットである、請求項１０または請求項１１に記載のデータ送信機。
【請求項１８】
前記第１のホッピングパターン（１４０＿１）および前記第２のホッピングパターン（１４０＿２）はそれぞれ、周波数ホッピングパターン、時間ホッピングパターンまたは周波数ホッピングパターンと時間ホッピングパターンとの組み合わせである、請求項１〜１７の何れか１項に記載のデータ送信機。
【請求項１９】
前記データ（１２０）はデータパケットであり、前記データ送信機（１００）は前記データパケットを複数のサブデータパケットに分割するように構成され、前記サブデータパケットのそれぞれは前記データパケットよりも短く、
前記データ送信機（１００）は前記第１のホッピングパターンに従って周波数および／または時間的に分散された前記複数のサブデータパケットを送信し、且つ周波数および／または時間的に分散された前記複数のサブデータパケットを前記第２のホッピングパターンに従って繰り返し送信するように構成される、
請求項１〜１８の何れか１項に記載のデータ送信機。
【請求項２０】
−  前記第１のホッピングパターン（１４０＿１）および第２のホッピングパターン（
１４０＿２）のそれぞれ、
−  または前記第３のホッピングパターン（１４０）
は、時間ホッピングパターン、周波数ホッピングパターン、または前記時間ホッピングパターンと前記周波数ホッピングパターンとの組み合わせであり、
前記時間ホッピングパターンはそれぞれが２４のホップを有する以下の８つの時間ホッピングパターンのうちの１つであり、
2020526129.tif 000001
前記表の各行は時間ホッピングパターンであり、前記表の各列は各前記時間ホッピングパターンの２番目以降のホップであって、各時間ホッピングパターンが２４のホップを含むようになっており、前記表の各セルは、好ましくは複数のシンボル区間における、各前記ホップの基準点の、直後のホップの同じ基準点までの時間間隔を示し、前記周波数ホッピングパターンはそれぞれが２４のホップを有する以下の８つの周波数ホッピングパターンのうちの１つであり、
2020526129.tif 000002
前記表の各行は周波数ホッピングパターンであり、前記表の各列は前記各周波数ホッピングパターンのホップであり、前記表の各セルはＵＣＧ＿Ｃ０ないしＵＣＧ＿２３のキャリアにおける各前記周波数ホッピングパターンの各前記ホップの送信周波数を示す、
請求項１〜１９の何れか１項に記載のデータ送信機。
【請求項２１】
前記時間ホッピングパターンと前記周波数ホッピングパターンとの組み合わせにおいて、前記時間ホッピングパターンおよび前記周波数ホッピングパターンは、各前記表において行番号が同じである、
請求項２０に記載のデータ送信機。
【請求項２２】
−  前記第３のホッピングパターン（１４０）、
−  または、前記第１のホッピングパターン（１４０＿１）および第２のホッピングパターン（１４０＿２）のそれぞれ
は、時間ホッピングパターン、周波数ホッピングパターンまたは前記時間ホッピングパターンと前記周波数ホッピングパターンとの組み合わせであり、
前記時間ホッピングパターンはそれぞれが２４のホップを有する以下の８つの時間ホッピングパターンのうちの１つであり、
2020526129.tif 000003
前記表の各行は時間ホッピングパターンであり、前記表の各列は各前記時間ホッピングパターンの２番目以降のホップであって、各前記時間ホッピングパターンは２４のホップを含むようになっており、前記表の各セルは、好ましくは複数のシンボル区間における、各前記ホップの基準点の、直後のホップの同じ基準点までの時間間隔を示し、
周波数ホッピングパターンは、それぞれが２４のホップを有する以下の８つの周波数ホッピングパターンのうちの１つであり、
2020526129.tif 000004
前記表の各行は周波数ホッピングパターンであり、前記表の各列は前記各周波数ホッピングパターンのホップであり、前記表の各セルはＵＣＧ＿Ｃ０ないしＵＣＧ＿２３のキャリアにおける各前記周波数ホッピングパターンの各前記ホップの送信周波数を示す、
請求項１〜２１の何れか１項に記載のデータ送信機。
【請求項２３】
前記時間ホッピングパターンと前記周波数ホッピングパターンとの組み合わせにおいて
、前記時間ホッピングパターンおよび前記周波数ホッピングパターンは、各前記表におい
て行番号が同じである、
請求項２２に記載のデータ送信機。
【請求項２４】
第１のモードにおいて、第１のホッピングパターン（１４０＿１）および第２のホッピングパターン（１４０＿２）を繰り返し使用してデータ（１２０）を受信するように構成されるデータ受信機（１１０）であって、
前記データ受信機（１１０）は、第２のモードにおいて、第３のホッピングパターンを１回使用してデータ（１２０）を受信するように構成され、
前記第１のモードの前記ホッピングパターンのホップおよび前記第２のモードの前記ホッピングパターンのホップは時間および／または周波数において異なって分散されるように前記第１のモードのホッピングパターンと前記第２のモードのホッピングパターンとは異なり、
前記データ受信機（１１０）は、ホッピングパターンの第１のセットから前記第１のホッピングパターン（１４０＿１）および前記第２のホッピングパターンを選択し、ホッピングパターンの第２のセットから前記第３のホッピングパターンを選択するように構成され、
前記ホッピングパターン第１のセットのホッピングパターンと前記ホッピングパターンの第２のセットのホッピングパターンとは異なる、データ受信機。
【請求項２５】
前記第１のホッピングパターン（１４０＿１）と前記第２のホッピングパターン（１４０＿２）とは周波数および／または時間において互いにシフトされ、前記第１のホッピングパターン（１４０＿１）と前記第２のホッピングパターン（１４０＿２）とは少なくとも部分的にインターリーブされている、
請求項２４に記載のデータ受信機。
【請求項２６】
前記第１のホッピングパターン（１４０＿１）と前記第２のホッピングパターン（１４０＿２）とは異なることを特徴とする、
請求項２４〜２５の何れか１項に記載のデータ受信機。
【請求項２７】
前記第２のホッピングパターン（１４０＿２）は、前記第１のホッピングパターンの周波数をシフトしたバージョンおよび／または時間をシフトしたバージョンである、
請求項２４〜２５の何れか１項に記載のデータ受信機。
【請求項２８】
前記第１のホッピングパターン（１４０＿１）と前記第２のホッピングパターン（１４０＿２）とは同一であり、時間および／または周波数においてシフトされただけである、請求項２７に記載のデータ受信機。
【請求項２９】
前記データ受信機（１１０）は、前記第１のホッピングパターン（１４０＿１）および前記第２のホッピングパターン（１４０＿２）のうちの１つのホッピングパターンで送信された前記データを受信するために、受信データストリーム内の前記１つのホッピングパターンを検出するように構成され、
前記データ受信機（１１０）は、もう一方のホッピングパターンで送信されたデータ（１２０）を受信するために、前に検出されたホッピングパターンを使用して前記受信したデータストリームにおける前記第１のホッピングパターン（１４０＿１）および前記第２のホッピングパターン（１４０＿２）のうちの前記もう一方の１つを検出するように構成される、
請求項２４〜２８の何れか１項に記載のデータ受信機。
【請求項３０】
前記データ受信機（１１０）は、前記データ（１２０）を送信するデータ送信機（１００）の演算パラメータに依存して、第１のホッピングパターン（１４０＿１）と第２のホッピングパターン（１４０＿２）との間の時間オフセットを決定するように構成される、請求項２４〜２９の何れか１項に記載のデータ受信機。
【請求項３１】
前記データ受信機（１１０）は、前記データ（１２０）を送信するデータ送信機（１００）の演算パラメータに依存して、前記第１のホッピングパターン（１４０＿１）と前記第２のホッピングパターン（１４０＿２）との間の周波数オフセットを決定するように構成される、
請求項２４〜３０の何れか１項に記載のデータ受信機。
【請求項３２】
前記データ送信機（１００）の前記演算パラメータは前記データ受信機（１１０）に既知である、
請求項３０または請求項３１に記載のデータ受信機。
【請求項３３】
前記データ受信機（１１０）は仮説テストによって前記演算パラメータを決定するように構成される、
請求項３０または請求項３１に記載のデータ受信機。
【請求項３４】
前記データ送信機（１００）の前記演算パラメータは前記データ送信機（１００）自体の固有のパラメータである、
請求項３０〜３３の何れか１項に記載のデータ受信機。
【請求項３５】
前記データ送信機（１００）の前記固有のパラメータは、アドレス指定情報、識別情報、クォーツ許容差、周波数オフセットまたは使用可能な送信エネルギーである、
請求項３４に記載のデータ受信機。
【請求項３６】
前記データ送信機（１００）の前記演算パラメータは、前記データ送信機（１００）に割当てられたパラメータである、
請求項３０〜３３の何れか１項に記載のデータ受信機。
【請求項３７】
前記データ送信機（１００）に割当てられた前記パラメータは、割当られた周波数オフセット、割当られた時間オフセット、無線セル、地理的位置、システム時刻あるいは前記データ送信機または前記データ（１２０）の優先度である、
請求項３６に記載のデータ受信機。
【請求項３８】
前記データ送信機（１００）の前記演算パラメータはペイロードデータまたはエラー保護データの少なくとも一部である、
請求項３０〜３３の何れか１項に記載のデータ受信機。
【請求項３９】
前記データ送信機（１００）の前記演算パラメータはランダムな周波数オフセットまたはランダムな時間オフセットである、
請求項３０〜３３の何れか１項に記載のデータ受信機。
【請求項４０】
前記データ受信機（１１０）は、前記第１のホッピングパターン（１４０＿１）および前記第２のホッピングパターン（１４０＿２）を異なる周波数帯において受信するように構成される、
請求項２４〜３９の何れか１項に記載のデータ受信機。
【請求項４１】
前記データ受信機（１１０）は、前記第１のホッピングパターン（１４０＿１）および／または前記第２のホッピングパターン（１４０＿２）に基づいて、データ（１２０）の繰り返しの送信を検出するように構成される、または、
前記データ受信機（１１０）は、前記第３のホッピングパターンに基づいて、１回のデータ送信を検出するように構成される、
請求項２４〜４０の何れか１項に記載のデータ受信機。
【請求項４２】
前記第１のホッピングパターン（１４０＿１）および前記第２のホッピングパターン（１４０＿２）はそれぞれ、周波数ホッピングパターン、時間ホッピングパターンまたは周波数ホッピングパターンと時間ホッピングパターンとの組み合わせである、
請求項２４〜４１の何れか１項に記載のデータ受信機。
【請求項４３】
−  前記第１のホッピングパターン（１４０＿１）および第２のホッピングパターン（１４０＿２）のそれぞれ、
−  または前記第３のホッピングパターン（１４０）
は、時間ホッピングパターン、周波数ホッピングパターン、または前記時間ホッピングパターンと前記周波数ホッピングパターンとの組み合わせであり、
前記時間ホッピングパターンはそれぞれが２４のホップを有する以下の８つの時間ホッピングパターンのうちの１つであり、
2020526129.tif 000005
前記表の各行は時間ホッピングパターンであり、前記表の各列は各前記時間ホッピングパターンの２番目以降のホップであって、各時間ホッピングパターンが２４のホップを含むようになっており、前記表の各セルは、−好ましくは複数のシンボル区間における、前記各ホップの基準点の、直後のホップの同じ基準点までの時間間隔を示し、前記周波数ホッピングパターンはそれぞれ２４のホップを有する以下の８つの周波数ホッピングパターンの１つであり、
2020526129.tif 000006
前記表の各行は周波数ホッピングパターンであり、前記表の各列は各前記周波数ホッピングパターンのホップであり、前記表の各セルはＵＣＧ＿Ｃ０ないしＵＣＧ＿２３のキャリアにおける各前記周波数ホッピングパターンの各前記ホップの送信周波数である、
請求項２４〜４２の何れか１項に記載のデータ受信機。
【請求項４４】
前記時間ホッピングパターンおよび前記周波数ホッピングパターンは、各前記表において行番号が同じである、
請求項４３に記載のデータ受信機。
【請求項４５】
−  前記第３のホッピングパターン（１４０）、
−  または前記第１のホッピングパターン（１４０＿１）および前記第２のホッピングパターン（１４０＿２）のそれぞれ
は、時間ホッピングパターン、周波数ホッピングパターンまたは前記時間ホッピングパターンと前記周波数ホッピングパターンとの組み合わせであり、
前記時間ホッピングパターンは、それぞれが２４のホップを有する以下の８つの時間ホッピングパターンのうちの１つであり、
2020526129.tif 000007
前記表の各行は時間ホッピングパターンであり、前記表の各列は各前記時間ホッピングパターンの２番目以降のホップであって、各時間ホッピングパターンが２４のホップを含むようになっており、前記表の各セルは、好ましくは複数のシンボル区間における、各前記ホップの基準点の、直後のホップの同じ基準点までの時間間隔を示し、
前記周波数ホッピングパターンは、それぞれが２４のホップを有する以下の８つの周波数ホッピングパターンの１つであり、
2020526129.tif 000008
前記表の各行は周波数ホッピングパターンであり、前記表の各列は前記各周波数ホッピングパターンのホップであり、前記表の各セルはＵＣＧ＿０ないしＵＣＧ＿２３の担体における各前記周波数ホッピングパターンの各前記ホップの送信周波数を示す、
請求項２４〜４４の何れか１項に記載のデータ受信機。
【請求項４６】
前記時間ホッピングパターンおよび前記周波数ホッピングパターンは、各前記表において行番号が同じである、
請求項２４〜４５の何れか１項に記載のデータ受信機。
【請求項４７】
請求項１〜２３の何れか１項に記載のデータ送信機（１００）と、
請求項２４〜４６の何れか１項に記載のデータ受信機（１１０）と、
を含むことを特徴とする、システム。
【請求項４８】
第１のモードにおいて、第１のホッピングパターンおよび前記第２のホッピングパターンを繰り返し使用してデータを送信するステップ（１６２）と、
第２のモードにおいて、第３のホッピングパターンを１回使用してデータを送信するステップ（１６４）とを含む、データを送信するための方法（１６０）であって、
前記第１のモードの前記ホッピングのホップと前記第２のモードの前記ホッピングパターンのホップとは時間および／または周波数において異なるように分散されるように前記第１のモードの前記ホッピングパターンと前記第２のモードの前記ホッピングパターンとは異なり、
前記第１のホッピングパターンおよび前記第２のホッピングパターンは、ホッピングパターンの第１のセットから選択され、かつ前記第３のホッピングパターンは、ホッピングパターンの第２のセットから選択され、
前記ホッピングパターンの第１のセットおよび前記ホッピングパターンの第２のセットは異なる、方法。
【請求項４９】
第１のモードにおいて、第１のホッピングパターンおよび前記第２のホッピングパターンを繰り返し使用してデータを受信するステップ（１７２）と、
第２のモードにおいて、第３のホッピングパターンを１回使用してデータを受信するステップ（１７４）とを含む、データを受信するための方法（１７０）であって、
前記第１のモードの前記ホッピングパターンのホップおよび前記第２のモードの前記ホッピングパターンのホップは時間および／または周波数において異なるように分散されるように前記第１のモードの前記ホッピングパターンと前記第２のモードの前記ホッピングパターンとは異なり、
前記第１のホッピングパターンおよび前記第２のホッピングパターンは、ホッピングパターンの第１のセットから選択され、かつ前記第３のホッピングパターンは、ホッピングパターンの第２のセットから選択され、
前記ホッピングパターンの第１のセットおよび前記ホッピングパターンの第２のセットは異なる、方法。
【請求項５０】
請求項４８または請求項４９に記載の方法を実行するためのコンピュータプログラム。
【請求項５１】
ホッピングパターンの第１のセットおよびホッピングパターンの第２のセットを生成するための方法であって、
ホッピングパターンの前記第１のセットのための複数のホッピングパターンおよびホッピングパターンの前記第２のセットのための複数のホッピングパターンをランダムに生成するステップ（２１２）であって、前記ホッピングパターンは時間および周波数において分散された少なくとも２つのホップを含み、ホッピングパターンの前記第１のセットのための前記ホッピングパターンとホッピングパターンの前記第２のセットのための前記ホッピングパターンとは異なる、生成するステップと、
ホッピングパターンの前記第１のセットのための前記複数のホッピングパターンから、ホッピングパターンの前記第１のセットのためのプリセット自己相関特性を有するホッピングパターンを得るために、自己相関関数がプリセット自己相関特性を含む前記ホッピングパターンを選択するステップ（２１４）と、ホッピングパターンの前記第２のセットのための前記複数のホッピングパターンから、ホッピングパターンの前記第２のセットのためのプリセット自己相関特性を有するホッピングパターンを得るために、自己相関関数がプリセット自己相関特性を含む前記ホッピングパターンを選択するステップと、
ホッピングパターンの前記第１のセットのための前記ホッピングパターンのプリセット自己相関特性を持つもの同士のクロス相関関数およびホッピングパターンの前記第２のセットのための前記ホッピングパターンのプリセット自己相関特性を持つもの同士のクロス相関関数を計算するステップ（２１６）と、
ホッピングパターンの前記第１のセットのためのプリセット自己相関特性を有する前記ホッピングパターンから、ホッピングパターンの前記第１のセットのためのプリセット自己相関特性およびプリセットクロス相関特性を有するホッピングパターンを得るためにクロス相関関数がプリセットクロス相関特性を含む前記ホッピングパターンを選択するステップ（２１８）と、ホッピングパターンの前記第２のセットのためのプリセット自己相関特性を有する前記ホッピングパターンから、ホッピングパターンの前記第２のセットのためのプリセット自己相関特性およびプリセット相互相関特性を得るために相互相関関数がプリセット相互相関特性を含む前記ホッピングパターンを選択するステップとを含み、
前記相互相関関数を計算するステップ（２１６）において、ホッピングパターンの前記第１のセットのための前記ホッピングパターンとホッピングパターンの前記第２のセットのための前記ホッピングパターンとの間の相互相関関数も計算され、
前記ホッピングパターンを選択するステップにおいて、ホッピングパターンの前記第１のセットのための前記ホッピングパターンとホッピングパターンの前記第２のセットのための前記ホッピングパターンとの間の相互相関関数がプリセット相互相関特性を含む、ホッピングパターンの前記第１のセットのための前記ホッピングパターンおよび／またはホッピングパターンの前記第２のセットのための前記ホッピングパターンのみが選択され、
前記ホッピングパターンの第１のセットはデータをデータ受信機に繰り返し送信するのに使用され、
前記ホッピングパターンの第２のセットはデータを前記データ受信機に繰り返しではない送信をするのに使用される、方法。
【請求項５２】
ホッピングパターンの前記第２のセットのための前記ホッピングパターンの前記ホップの時間間隔は、ホッピングパターンの前記第１のセットのための前記ホッピングパターンの前記ホップのうちの１つの時間的な長さに対し少なくとも等しい、請求項５１に記載の方法。
【請求項５３】
前記ホッピングパターンの前記ホップ間の前記時間間隔は、プリセットホッピングパターンの長さの±２０％の偏差の範囲内で等距離である、
請求項５１または請求項５２に記載の方法。
【請求項５４】
前記方法は、ホッピングパターンの前記第１のセットのための前記複数のホッピングパターンをそれぞれ二次元の時間／周波数占有マトリックスにマッピングするステップであって、前記自己相関関数の計算が適用されるステップと、ホッピングパターンの前記第２のセットのための前記複数のホッピングパターンをそれぞれ二次元時間／周波数占有マトリクスにマッピングするステップであって、前記自己相関関数の計算が適用されるステップを含む、
請求項５１〜５３の何れか１項に記載の方法。
【請求項５５】
ホッピングパターンの前記第１のセットのための前記複数のホッピングパターンをマッピングするステップおよび／またはホッピングパターンの前記第２のセットのための前記複数のホッピングパターンをマッピングするステップはそれぞれ、発生する可能性のある隣接する周波数位置(隣接するチャンネルの干渉)の影響を考慮して実行される、
請求項５４に記載の方法。
【請求項５６】
前記自己相関関数は二次元の自己相関関数である、請求項５１〜５５の何れかに記載の方法。
【請求項５７】
ホッピングパターンの前記第１のセットのための前記ホッピングパターンを選択するステップにおいて、プリセット自己相関特性は、自己相関関数の第２の極大値が予め設定された第１の振幅閾値の上限を超えない前記ホッピングパターンによって満たされ、ホッピングパターンの前記第２のセットのための前記ホッピングパターンを選択するステップにおいて、前記プリセット自己相関特性は、自己相関関数の第２の極大値が予め設定された第２の振幅閾値の上限を超えない前記ホッピングパターンによって満たされる、
請求項５１〜５６の何れかに記載の方法。
【請求項５８】
前記第１の振幅閾値は前記第２の振幅閾値と同じである、請求項５７に記載の方法。
【請求項５９】
前記第１の振幅閾値はホッピングパターンの前記第１のセットのための各前記ホッピングパターンの繰り返しおよび時間シフトおよび／または周波数シフトされたサブホッピングパターンを形成するホップの数に等しく、前記第２の振幅閾値はホッピングパターンの前記第２のセットのための各前記ホッピングパターンの繰り返しおよび時間シフトおよび／または周波数シフトされたサブホッピングパターンを形成するホップの数と等しい、請求項５７または請求項５８に記載の方法。
【請求項６０】
ホッピングパターンの前記第１のセットのための前記ホッピングパターンを選択するステップにおいて、前記プリセット自己相関特性は、予め設定された数の各前記自己相関関数の最大振幅閾値にわたって形成される小計が予め設定された第１の閾値より小さい前記ホッピングパターンによって満たされ、ホッピングパターンの前記第２のセットのための前記ホッピングパターンを選択するステップにおいて、前記プリセット自己相関特性は、予め設定された数の各前記自己相関関数の最大振幅閾値にわたって形成される小計が予め設定された第２の閾値よりも小さい前記ホッピングパターンによって満たされる、
請求項５１〜５９の何れか１項に記載の方法。
【請求項６１】
前記第１の閾値は、ホッピングパターンの前記第１のセットのための少なくとも２つのホッピングパターンが前記プリセット自己相関特性を満たすように選択され、前記第２の閾値は、ホッピングパターンの前記第２のセットのための少なくとも２つのホッピングパターンが前記プリセット自己相関特性を満たすように選択される、
または前記第１の閾値および／または前記第２の閾値は各エッジパラメータに依存して選択される、
請求項６０に記載の方法。
【請求項６２】
前記相互相関関数は２次元の相互相関関数である、請求項５１〜６１のいずれか１項に記載の方法。
【請求項６３】
ホッピングパターンの前記第１のセットのためのプリセット自己相関特性を有する前記ホッピングパターンから前記ホッピングパターンを選択するステップにおいて、前記プリセット相互相関特性は、予め設定された数の前記各相互相関関数の最大振幅値にわたって形成された小計が最小となる前記ホッピングパターンによって満たされ、ホッピングパターンの前記第２のセットのためのプリセット自己相関特性を有する前記ホッピングパターンから前記ホッピングパターンを選択するステップにおいて、前記プリセット相互相関特性は、予め設定された数の前記各相互相関関数の最大振幅値にわたって形成された小計が最小となる前記ホッピングパターンによって満たされる、
請求項５１〜６２の何れか１項に記載の方法。
【請求項６４】
ホッピングパターンの前記第１のセットのための前記複数のホッピングパターンおよびホッピングパターンの前記第２のセットのための前記複数のホッピングパターンをランダムに生成するステップにおいて、前記ホッピングパターンは各前記ホッピングパターンの前記ホップが予め設定された周波数帯内にあるように生成される、
請求項５１〜６３の何れか１項に記載の方法。
【請求項６５】
第１のホッピングパターンおよび第２のホッピングパターンを使用したデータ送信であって、
前記データは前記第１のホッピングパターンを使用して送信され、前記データは前記第２のホッピングパターンを繰り返し使用して送信され、
前記第１のホッピングパターンおよび前記第２のホッピングパターンはそれぞれ、時間ホッピングパターン、周波数ホッピングパターンまたは前記時間ホッピングパターンと前記周波数ホッピングパターンとの組み合わせであり、
前記時間ホッピングパターンはそれぞれが２４のホップを有する以下の８つの時間ホッピングパターンのうちの１つであり、
2020526129.tif 000009
前記表の各行は時間ホッピングパターンであり、前記表の各列は各前記時間ホッピングパターンの２番目以降のホップであって、各時間ホッピングパターンが２４のホップを含むようになっており、前記表の各セルは、好ましくは複数のシンボル区間における、前記各ホップの基準点の、直後のホップの同じ基準点までの時間間隔を示し、
前記周波数ホッピングパターンは、それぞれが２４のホップを有する以下の８つの周波数ホッピングパターンの１つであり、
2020526129.tif 000010
前記表の各行は周波数ホッピングパターンであり、前記表の各列は前記各周波数ホッピングパターンのホップであり、前記表の各セルはUCG＿C0からUCG＿23までのキャリアにおける各前記周波数ホッピングパターンの各前記ホップの送信周波数を示す、
データ送信。
【請求項６６】
前記ホッピングパターンは前記時間ホッピングパターンと前記周波数ホッピングパターンとの組み合わせであって、前記時間ホッピングパターンおよび前記周波数ホッピングパターンは前記各表内で同じ行番号を有している、請求項６５に記載の送信。
【請求項６７】
データパケットが前記ホッピングパターンに従って複数のサブデータパケットに分割されて送信され、前記複数のサブデータパケットのうちの１つのサブデータパケットは前記ホッピングパターンの各ホップにおいて送信される、請求項６５または６６に記載の送信。
【請求項６８】
第１の時間ホッピングパターンと第２の時間ホッピングパターンとを使用するデータ受信であって、
前記データは前記第１のホッピングパターンを使用して受信され、また前記データは前記第２のホッピングパターンを繰り返し使用して受信され、
前記第１のホッピングパターンおよび前記第２のホッピングパターンはそれぞれ、時間ホッピングパターン、周波数ホッピングパターンまたは前記時間ホッピングパターンと前記周波数ホッピングパターンとの組み合わせであり、
前記時間ホッピングパターンは、それぞれが２４のホップを有する以下の８つの時間ホッピングパターンのうちの１つであり、
2020526129.tif 000011
前記表の各行は時間ホッピングパターンであり、前記表の各列は各前記時間ホッピングパターンの２番目以降のホップであって、各タイムホッピングパターンが２４のホップを含むようになっており、前記表の各セルは、好ましくは複数のシンボル区間における、各前記ホップの基準点の、直後のホップの同じ基準点までの時間間隔を示し、
前記周波数ホッピングパターンはそれぞれが２４のホップを有する以下の８つの周波数ホッピングパターンのうちの１つであり、
2020526129.tif 000012
前記表の各行は周波数ホッピングパターンであり、前記表の各列は前記各周波数ホッピングパターンのホップであり、前記表の各セルはＵＣＧ＿Ｃ０ないしＵＣＧ＿Ｃ２３のキャリアにおける各前記周波数ホッピングパターンの各前記ホップの送信周波数を示す、
データ受信。
【請求項６９】
前記ホッピングパターンは前記時間ホッピングパターンと前記周波数ホッピングパターンとの組み合わせであり、前記時間ホッピングパターンおよび前記周波数ホッピングパターンは各前記表内で同じ行番号を有している、
請求項６８に記載の受信。
【請求項７０】
データパケットが、前記ホッピングパターンに従って複数のサブデータパケットに分割されて受信され、前記複数のサブデータパケットのうちの１つのサブデータパケットが前記ホッピングパターンの各ホップにおいて受信される、
請求項６８または６９に記載の受信。
【請求項７１】
第１のモードにおいて、第１のホッピングパターン（１４０＿１）および第２のホッピングパターン（１４０＿２）を繰り返し使用してデータ（１２０）を受信するように構成されるデータ受信機（１１０）であって、
前記データ受信機（１１０）は、第２のモードにおいて、第３のホッピングパターンを１回使用してデータ（１２０）を受信するように構成され、
前記第１のモードのホッピングパターンと前記第２のモードのホッピングパターンとは異なり、
前記データ受信機（１１０）は、前記第１のホッピングパターン（１４０＿１）および前記第２のホッピングパターン（１４０＿２）のうちの１つのホッピングパターンで送信された前記データ（１２０）を受信するために、受信データストリーム内の前記１つのホッピングパターンを検出するように構成され、
前記データ受信機（１１０）は、もう一方の前記第１のホッピングパターン（１４０＿１）および前記第２のホッピングパターン（１４０＿２）で送信されたデータ（１２０）を受信するために、前に検出されたホッピングパターンを使用して前記受信したデータストリームにおける前記２つのホッピングパターンのうちの前記もう一方を検出するように構成される、データ受信機。
【請求項７２】
第１のモードにおいて、第１のホッピングパターン（１４０＿１）および第２のホッピングパターン（１４０＿２）を繰り返し使用してデータ（１２０）を受信するように構成されるデータ受信機（１１０）であって、
前記データ受信機（１１０）は、第２のモードにおいて、第３のホッピングパターンを１回使用してデータ（１２０）を受信するように構成され、
前記データ受信機（１１０）は、前記第１のホッピングパターン（１４０＿１）および／または前記第２のホッピングパターン（１４０＿２）に基づいて、データ（１２０）の繰り返しの送信を検出するように構成される、または、
前記データ受信機（１１０）は、前記第３のホッピングパターンに基づいて、データ（１２０）の１回の送信を検出するように構成される、データ受信機。
【請求項７３】
第１のモードにおいて、第１のホッピングパターン（１４０＿１）および第２のホッピングパターン（１４０＿２）を繰り返し使用してデータ（１２０）を送信するように構成されるデータ送信機（１００）であって、
前記データ送信機（１００）は、第２のモードにおいて第３のホッピングパターン（１４０）を１回使用してデータ（１２０）を送信するように構成され、
前記第１のモードの前記ホッピングパターンのホップおよび前記第２のモードの前記ホッピングパターンのホップは時間および／または周波数において異なって分散されるように前記第１のモードおよび前記第２のモードのホッピングパターンは異なり、
前記第１のホッピングパターン（１４０＿１）および前記第２のホッピングパターン（１４０＿２）は周波数および／または時間において互いに相対的にシフトされ、前記第１のホッピングパターン（１４０＿１）および前記第２のホッピングパターン（１４０＿２）は少なくとも部分的にインターリーブされている、データ送信機。
【請求項７４】
第１のモードにおいて、第１のホッピングパターン（１４０＿１）および第２のホッピングパターン（１４０＿２）を繰り返し使用してデータ（１２０）を受信するように構成されるデータ受信機（１１０）であって、
前記データ受信機（１１０）は、第２のモードにおいて、第３のホッピングパターン（１４０）を１回使用してデータ（１２０）を受信するように構成され、
前記第１のモードの前記ホッピングパターンのホップおよび前記第２のモードの前記ホッピングパターンのホップは時間および／または周波数において異なって分散されるように前記第１のモードのホッピングパターンと前記第２のモードのホッピングパターンとは異なり、
前記第１のホッピングパターン（１４０＿１）と前記第２のホッピングパターン（１４０＿２）とは周波数および／または時間において互いに相対的にシフトされ、前記第１のホッピングパターン（１４０＿１）と前記第２のホッピングパターン（１４０＿２）とは少なくとも部分的にインターリーブされている、データ受信機。
【誤訳訂正２】
【訂正対象書類名】明細書
【訂正対象項目名】全文
【訂正方法】変更
【訂正の内容】
【発明の詳細な説明】
【発明の名称】データの繰り返し送信および受信をするための特徴的なホッピングパターンおよびそれを実現するための方法
【技術分野】
【０００１】
本発明は、データ送信機およびそれを操作するための方法に関する。更に本発明は、データ受信機およびそれを操作するための方法に関する。更に本発明は、繰り返しデータを送信するための特別なホッピングパターンの実現に関する。更に本発明は、特別なホッピングパターンを使用したデータの繰り返し送信および受信に関する。いくつかの発明はインターリーブされた反復に使用されるホッピングパターンを生成するために最適化された方法に関する。
【背景技術】
【０００２】
テレグラム分割方法は特許文献１から知られており、当該文献によれば、テレグラム（またはデータパケット）はホッピングパターンを使用して時間的におよびオプション（任意）で周波数的に分散されて送信される複数のサブデータパケットに分割される。
【０００３】
特許文献２は、エネルギー源としてのエネルギー収穫要素（energy-harvesting element）を含むデータ送信アレイを開示している。この場合、データ送信アレイはテレグラム分割方法を使用した送信データを形成し、送信される部分パケットは送信されるか、待機するか、遅れて送信されるか、または、エネルギー供給ユニットによるエネルギーが供給された電気の量に依存して廃棄される。
【０００４】
非特許文献１は、テレグラム分割方法を使用した低エネルギー遠隔測定システムのための改善されたレンジを記載している。
【０００５】
非特許文献２は、テレグラム分割方法を使用した低エネルギー遠隔測定システムの送信信頼性の改善を記載している。
【先行技術文献】
【特許文献】
【０００６】
【特許文献１】DE 10 2011 082 098 B4
【特許文献２】WO 2015/128385 A1
【非特許文献】
【０００７】
【非特許文献１】[1]  [G. Kilian, H. Petkov, R. Psiuk, H. Lieske, F. Beer, J. Robert, and A. Heuberger, "Improved coverage for low-power telemetry systems using telegram splitting," in Proceedings of 2013 European Conference on Smart Objects, Systems and Technologies (SmartSysTech), 2013]
【非特許文献２】[2]  [G. Kilian, M. Breiling, H. H. Petkov, H. Lieske, F. Beer, J. Robert, and A. Heuberger, "Increasing Transmission Reliability for Telemetry Systems Using Telegram Splitting," IEEE Transactions on Communications, vol. 63, no. 3, pp. 949−961, Mar. 2015]
【発明の概要】
【発明が解決しようとする課題】
【０００８】
本テレグラム分割方法は、無線チャンネルを通じてデータを送信するための特別な時間ホッピングパターン／周波数ホッピングパターンを用いる。データパケットを好適にデコードするため、送信のために使用されるホッピングパターンは受信機で知られている必要がある。これを確実にするため、全ての参加者に対し知られた全体的な時間ホッピングパターンおよび周波数ホッピングパターンが、テレグラム分割ネットワークに対して定義されている。
【０００９】
同一帯域内のテレグラム分割による複数の参加者の通信は、複数のノードのデータ転送に同じ時間ホッピングパターンおよび／または周波数ホッピングパターンが使用されている場合、転送の干渉耐性が悪化する。
【００１０】
それゆえに、本発明の目的は、データ送信のためにいくつかのノードが時間ホッピングパターンおよび／または周波数ホッピングパターンを用いるときの送信の確実性を増大させることにある。
【課題を解決するための手段】
【００１１】
この目的は、独立特許請求項により解決される。
【００１２】
有利な更なる実現例は、従属請求項において見いだされるであろう。
【００１３】
実施の形態は、第１のモードにおいて、第１のホッピングパターンおよび第２のホッピングパターンを繰り返し使用してデータを送信するように構成されるデータ送信機を提供し、ここで、データ送信機は、第２のモードにおいて第３のホッピングパターンを１回使用してデータを送信するように構成され、ここで第１のモードおよび第２のモードのホッピングパターンは異なる。
【００１４】
更なる実施の形態では、第１のモードにおいて、第１のホッピングパターンおよび第２のホッピングパターンを繰り返し使用してデータを受信するように構成されるデータ受信機を提供し、ここでデータ受信機は、第２のモードにおいて、第３のホッピングパターンを使用して１回データを受信するように構成され、ここで第１のモードのホッピングパターンと第２のモードのホッピングパターンとは異なる。
【００１５】
実施の形態において、第１のモード（＝繰り返し送信モード）において、データ送信機およびデータ受信機は第１のホッピングパターンおよび第２のホッピングパターンをデータを繰り返し送信するために用い、第２のモード（＝単一送信モード）において、データの１回の送信のために第３のホッピングパターンを用い、ここで第１のモードと第２のモードとは異なる。これにより、他のモードにおける更なるデータ送信機によるデータの同時の送信における衝突確率が低減され、そしてそれゆえに送信信頼性が増加する。
【００１６】
実施の形態において、データ受信機はデータの第１のホッピングパターンおよび／または第２のホッピングパターンに基づく繰り返しの送信を検出し、第３のホッピングパターンに基づくデータの１回の送信を検出するように構成されるであろう。
【００１７】
実施の形態では、データ受信機は、第１のホッピングパターンをもって送信されたデータを受信するための受信データストリームにおいて２つのホッピングパターンのうちの１つ（例えば、第１のホッピングパターン）を検出するように構成されていてもよく、ここでデータ受信機は、他のホッピングパターン（例えば、第２のホッピングパターン）で転送されたデータを受信するための既に検出されたホッピングパターン（例えば、第１のホッピングパターン）を使用して受信データストリーム内の他のホッピングパターン（例えば第２のホッピングパターン）を決定するように構成されているであろう。この繰り返しのため、第１のホッピングパターンでもって送信されたデータおよび第２のホッピングパターンでもって送信されたデータは同じである。
【００１８】
実施の形態において、第１のホッピングパターンおよび第２のホッピングパターンは、第１のセットのホッピングパターンから選択されるであろうし、第３のホッピングパターンは、第２のセットのホッピングパターンから選択されるであろう。ホッピングパターンの第１のセットおよびホッピングパターンの第２のセットは異なっているであろう。
【００１９】
例えば、第１のモードにおけるデータの送信のため、データ受信機のデータ送信機は、第１のクラスのホッピングパターンから第１のホッピングパターンおよび第２のホッピングパターンを選択するであろう。一方、第２のモードにおけるデータの送信のため、更なるデータ送信機はホッピングパターンを第２のクラスのホッピングパターンを選択するであろう。ホッピングパターンと第２のクラスのホッピングパターンとが異なることは、データ送信機および他のデータ送信機によるデータの同時送信および少なくとも一時的な重複送信においても、可能な限り衝突可能性を低く抑えるようにすることを確実にするであろう。
【００２０】
実施の形態において、データ送信機とデータ受信機との間の接続を確立するために、第１のモードでは、第１のホッピングパターンおよび第２のホッピングパターンが、第２のモードでは、第３のホッピングパターンが、ホッピングパターンの第３のセットからすべて選択されるであろう。ホッピングパターンの第３のセットは、ホッピングパターンの第１のセットのサブセットまたはホッピングパターンの第２のセットのサブセットであろうし、それらとは異なるものであろう。
【００２１】
実施の形態において、第１のホッピングパターンおよび第２のホッピングパターンは、第１のホッピングパターンおよび第２のホッピングパターンが少なくとも部分的にインターリーブされるように周波数および／または時間において互いに相対的にシフトされるであろう。
【００２２】
例えば、第１のホッピングパターンおよび第２のホッピングパターンは、ホッピングパターンのホップが時間的および／または周波数的において間隔を空けて位置するように時間的および／または周波数的に分布されたホップを含んでいるであろうし、第１のホッピングパターンのホップの少なくとも一部分の間に第２のホッピングパターンのホップの少なくとも一部分が配置されるように、第１のホッピングパターンおよび第２のホッピングパターンは互いに相対的にシフトするであろう。例えば、第１のホッピングパターンのホップと第２のホッピングパターンのホップとは時間的に交互に配置されるであろう。
【００２３】
実施の形態において、第１のホッピングパターンおよび第２のホッピングパターンは異なっているであろう。例えば、第１のホッピングパターンのホップおよび第２のホッピングパターンのホップは時間および／または周波数において異なって分散されているであろう。例えば、第１のホッピングパターンにおける２つの連続したホップ（例えば第１のホップおよび第２のホップ）は、第２のホッピングパターンにおける２つの連続したホップ（例えば第１のホップおよび第２のホップ）とは、異なる時間間隔および／または周波数間隔を有しているであろう。
【００２４】
実施の形態において、第２のホッピングパターンは第１のホッピングパターンの周波数がシフトおよび／または時間がシフトしたバージョンである。例えば、第１のホッピングパターンおよび第２のホッピングパターンは同じであろうし周波数および／または時間のみがシフトしているであろう。例えば、第１のホッピングパターンのホップおよび第２のホッピングパターンのホップは相対的に時間間隔および周波数間隔が同じであろう。
【００２５】
実施の形態において、データ送信機は、部分的にのみ重複している周波数帯域または異なった周波数帯において第１のホッピングパターンおよび第２のホッピングパターンを送信するように構成されているであろう。
【００２６】
実施の形態において、データ送信機は、少なくとも２つの異なった周波数帯域のうちの１つにおいて第１のホッピングパターンまたは第２のホッピングパターンをランダムに送信し、他の周波数帯域で他のホッピングパターンを送信するように構成されているであろう。
【００２７】
実施の形態では、データ送信機は、データ送信機の動作パラメータ状の従属性に依存して第１のホッピングパターンと第２のホッピングパターンとの間の時間オフセットおよび／または周波数オフセットを決定するように構成されているであろう。この場合において、データ送信機の動作パラメータは、データ受信機に知らされているであろうし、例えば仮説テストを使用して推定したり同じものを計算したりするように構成されるであろう。
【００２８】
例えば、データ送信機の動作パラメータは、データ送信機自体の固有のパラメータであろうし、例えばアドレス情報、識別情報、クォーツ公差、周波数オフセットまたは使用できる送信エネルギーであろう。
【００２９】
例えば、データ送信機１００の演算パラメータは、データ送信機１００に割り当てられたパラメータ、例えば割り当てられた周波数オフセット、割り当てられた時間オフセット、無線セル、地理的位置、システム時刻またはデータ送信機の優先順位或いはデータ送信機によって送信されるデータの優先順位である。
【００３０】
例えば、データ送信機１００の動作パラメータは、ペイロードデータまたはエラー保護データの少なくとも一部であろう。
【００３１】
例えば、データ送信機１００の演算パラメータは、ランダムな周波数オフセットであろうし、ランダムな時間オフセットであろう。
【００３２】
更なる実施の形態はデータ送信のための方法を提供する。その方法は、第１のモードにおいて、第１のホッピングパターンおよび第２のホッピングパターンを繰り返し使用してデータを送信することを含む。更に、その方法は第２のモードにおいて、第１のモードと第２のモードにおけるホッピングパターンとは異なる第３のホッピングパターンを使用してデータを１回送信することを含む。
【００３３】
更なる実施の形態は、実施の形態によるデータを受信するための方法を提供する。その方法は、第１のモードにおいて、第１のホッピングパターンおよび第２のホッピングパターンを使用してデータを繰り返し受信することを含む。更に、その方法は第２のモードにおいて、第１のホッピングパターンおよび第２のホッピングパターンとは異なる第３のホッピングパターンを１回使用してデータを受信することを含む。
【００３４】
更なる実施の形態は、ホッピングパターンの第１のセットおよびホッピングパターンの第２のセットを生成するための方法を提供する。その方法は、第１のセットのためのホッピングパターンの複数のホッピングパターンおよび第２のセットのホッピングパターンのための複数のホッピングパターンをランダムに生成することを含み、ホッピングパターンは時間および周波数において分散された異なる少なくとも２つのホップを含み、第１のセットのホッピングパターンのためのホッピングパターンと第２のセットのホッピングパターンのためのホッピングパターンとは異なる。更に、その方法は第１のセットのホッピングパターンについてプリセット自己相関特性を有するホッピングパターンを得るために、前記第１のセットのホッピングパターンの複数のホッピングパターンの中から自己相関関数が予め設定された自己相関特性を有するホッピングパターンを選択することと、第２のセットのホッピングパターンについて予め設定された自己相関関数を有するホッピングパターンを得るために、第２のセットのホッピングパターンの複数のホッピングパターンの中からプリセット自己相関特性を有するホッピングパターンを得るために、自己相関関数がプリセット自己相関特性を含む前記ホッピングパターンを選択することとを含む。
【００３５】
実施の形態において、第２のセットのホッピングパターンのホッピングパターンのホップの時間間隔は、第１のセットのホッピングパターンのホッピングパターンのホップのうちの１つの時間的な長さに対し少なくとも等しいものであろう。
【００３６】
実施の形態において、ホッピングパターンのホップ間の時間間隔は、予め設定されたホッピングパターンの長さ内での± 20%の偏差を有する等距離であろう。
【００３７】
実施の形態において、方法は、自己相関関数の計算が適用され、二次元の時間／周波数占有マトリックスに各ホッピングパターンの第１のセットに対する複数のホッピングパターンをそれぞれマッピングすることと、自己相関関数の計算が適用された二次元の時間／周波数占有マトリックスにホッピングパターンの第２のセットに対する複数のホッピングパターンをそれぞれマッピングすることとを含むことができる。
【００３８】
実施の形態において、第１のセットのホッピングパターンのための複数のホッピングパターンのマッピングおよび／または第２のセットのホッピングパターンのための複数のホッピングパターンのマッピングは、発生する可能性のある近隣周波数位置の影響(近隣チャンネル干渉)が考慮して実行されるであろう。
【００３９】
実施の形態において、自己相関関数は２次元の自己相関関数であろう。
【００４０】
実施の形態において、ホッピングパターンの第１のセットのためのホッピングパターンの選択において、プリセット自己相関特性は、自己相関関数の二次最大値が予め設定された第１の振幅閾値の上限を超えない前記ホッピングパターンによって実現され、そして、ホッピングパターンの第２のセットのためのホッピングパターンの選択において、プリセット自己相関特性は自己相関関数の第２の極大値が予め設定された第２の振幅閾値の上限を超えない前記ホッピングパターンによって実現されるであろう。
【００４１】
実施の形態において、第１の振幅閾値は、第２の振幅閾値と同じであろう。
【００４２】
実施の形態において、第１の振幅閾値はホッピングパターンの第１のセットのための各ホッピングパターンの繰り返しおよび時間シフトおよび／または周波数シフトされたサブホッピングパターンを形成するホップの数に等しく、そして、第２の振幅閾値はホッピングパターンの第２のセットのための各ホッピングパターンの繰り返しおよび時間シフトおよび／または周波数シフトされたサブホッピングパターンを形成するホップの数と等しいであろう。
【００４３】
実施の形態において、ホッピングパターンの第１のセットのためのホッピングパターンの選択において、プリセット自己相関特性は、予め設定された数の各自己相関関数の最大振幅値にわたって形成される小計が予め設定された第１の振幅閾値を超えないホッピングパターンによって満たされ、そして、ホッピングパターンの第２のセットのためのホッピングパターンの選択において、プリセット自己相関特性は、予め設定された数の各自己相関関数の最大振幅閾値にわたって形成される小計が予め設定された第２の振幅閾値よりも小さいホッピングパターンによって満たされるホッピングパターンによって満たされるであろう。
【００４４】
実施の形態において、ホッピングパターンの第１のセットための少なくとも２つのホッピングパターンがプリセット自己相関特性を満たすように第１の閾値が選択され、ホッピングパターンの第２のセットのための少なくとも２つのホッピングパターンがプリセット自己相関特性を満たすように第２の閾値が選択されるであろう。あるいは、第１の閾値および/または第２の閾値がそれぞれのエッジパラメータに依存して選択される。
【００４５】
実施の形態において、方法は、ホッピングパターンの第１のセットのためのホッピングパターンのプリセット自己相関特性を持つもの同士の相互相関関数およびホッピングパターンの第２のセットのためのホッピングパターンのプリセット自己相関特性を持つもの同士の相互相関関数の計算をさらに含むであろう。更に、ホッピングパターンの第１のセットのためのプリセット自己相関特性を有するホッピングパターンから、ホッピングパターンの第１のセットのためのプリセット自己相関特性およびプリセット相互相関特性を有するホッピングパターンを得るために相互相関関数がプリセット相互相関特性を含むホッピングパターンを選択し、ホッピングパターンの第２のセットのためのプリセット自己相関特性を有するホッピングパターンから、ホッピングパターンの第２のセットのためのプリセット自己相関特性およびプリセット相互相関特性を有するホッピングパターンを得るために相互相関関数がプリセット相互相関特性を含むホッピングパターンを選択するであろう。
【００４６】
実施の形態において、相互相関関数において、ホッピングパターンの第１のセットのためのホッピングパターンとホッピングパターンの第２のセットのためのホッピングパターンとの間の相互相関関数も計算され、そして、ホッピングパターンの選択において、ホッピングパターンを選択するステップにおいて、ホッピングパターンの第１のセットのためのホッピングパターンとホッピングパターンの第２のセットのためのホッピングパターンとの間の相互相関関数がプリセット相互相関特性を含む、ホッピングパターンの前記第１のセットのための前記ホッピングパターンおよび／またはホッピングパターンの前記第２のセットのための前記ホッピングパターンのみが選択されるであろう。
【００４７】
実施の形態において、相互相関関数は二次元の相互相関関数であろう。
【００４８】
実施の形態において、ホッピングパターンの第１のセットのためのプリセット自己相関特性をもったホッピングパターンからのホッピングパターンの選択においてプリセット相互相関特性は、プリセット数の各相互相関関数の最大振幅値にわたって形成された小計が最小となるホッピングパターンによって満たされ、そして、ホッピングパターンの第２のセットのためのプリセット自己相関特性を有するホッピングパターンからホッピングパターンの選択において、プリセット相互相関特性は、予め設定された数の各相互相関関数の最大振幅値にわたって形成された小計が最小となるホッピングパターンによって満たされるであろう。
【００４９】
実施の形態において、ホッピングパターンの第１のセットのための複数のホッピングパターンおよびホッピングパターンの第２のセットのための複数のホッピングパターンのランダムな生成において、ホッピングパターンは各ホッピングパターンのホップが予め設定された周波数帯域内にあるように生成されるであろう。
【００５０】
更なる実施の形態は第１のホッピングパターンおよび第２のホッピングパターンを使用したデータの送信に関し、データは第１のホッピングパターンを使用して送信され、データは第２のホッピングパターンを繰り返し使用して送信され、第１のホッピングパターンおよび第２のホッピングパターンはそれぞれ、時間ホッピングパターン、周波数ホッピングパターンまたは前記時間ホッピングパターンと前記周波数ホッピングパターンとの組み合わせであり、時間ホッピングパターンはそれぞれが２４のホップを有する以下の８つの時間ホッピングパターンのうちの１つであり、
【００５１】
2020526129.tif 000013
【００５２】
表の各行は時間ホッピングパターンであり、表の各列は各時間ホッピングパターンの２番目以降のホップであって、各時間ホッピングパターンが２４のホップを含むようになっており、表の各セルは、好ましくは複数のシンボル区間における、各ホップの基準点の、直後のホップの同じ基準点までの時間間隔を示し、周波数ホッピングパターンはそれぞれが２４のホップを有する以下の８つの周波数ホッピングパターンのうちの１つであり、
【００５３】
2020526129.tif 000014
表の各行は周波数ホッピングパターンであり、表の各列は各周波数ホッピングパターンのホップであり、表の各セルはＵＣＧ＿Ｃ０ないしＵＣＧ＿２３のキャリアにおける各前記周波数ホッピングパターンの各前記ホップの送信周波数を示す。
【００５４】
実施の形態において、ホッピングパターンは時間ホッピングパターンと周波数ホッピングパターンとの組み合わせであり、前記時間ホッピングパターンおよび前記周波数ホッピングパターンは、各表内で同じ行番号を有する。
【００５５】
実施の形態において、複数のサブデータパケットのうちの１つのサブデータパケットがホッピングパターンの各ホップに送信されるようなホッピングパターンに従って複数のサブデータパケットに分割して送信される。
【００５６】
更なる実施の形態は、第１のホッピングパターンおよび第２のホッピングパターンを使用したデータの受信に関し、データは第１のホッピングパターンを使用して受信され、データは第２のホッピングパターンを繰り返し使用して受信され、第１のホッピングパターンおよび第２のホッピングパターンはそれぞれ、時間ホッピングパターン、周波数ホッピングパターンまたは時間ホッピングパターンと周波数ホッピングパターンとの組み合わせであり、時間ホッピングパターンは、それぞれが２４のホップを有する以下の８つの時間ホッピングパターンのうちの１つであり、
【００５７】
2020526129.tif 000015
表の各行は時間ホッピングパターンであり、表の各列は各前記時間ホッピングパターンの２番目以降のホップであって、各タイムホッピングパターンが２４のホップを含むようになっており、表の各セルは、好ましくは複数のシンボル区間における、各前記ホップの基準点の、直後のホップの同じ基準点までの時間間隔を示し、周波数ホッピングパターンはそれぞれが２４のホップを有する以下の８つの周波数ホッピングパターンのうちの１つであり、
【００５８】
2020526129.tif 000016
表の各行は周波数ホッピングパターンであり、表の各列は前記各ホッピングパターンのホップであり、前記表の各セルはＵＣＧ＿Ｃ０ないしＵＣＧ＿Ｃ２３のキャリアにおける各周波数ホッピングパターンの各ホップの送信周波数を含む。
【００５９】
実施の形態において、ホッピングパターンは時間ホッピングパターンおよび周波数ホッピングパターンの組み合わせであり、時間ホッピングパターンおよび周波数ホッピングパターンは各表において同じ行番号を有している。
【００６０】
実施の形態において、複数のサブデータパケットのうちの１つのサブデータパケットがホッピングパターンの各ホップにおいて受信されるようなホッピングパターンに従って複数のサブデータパケットへ分割されて受信される。
【００６１】
以下において、本発明の実施の形態は添付の図面を参照して記載される。
【図面の簡単な説明】
【００６２】
【図１】図１は、本発明の実施の形態のためのデータ送信機およびデータ受信機を有するシステムの概略ブロック回路図を示す。
【図２】図２は、時間および周波数ホッピングパターンに関する複数のサブデータパケットの送信における送信チャンネルの占有表を示す。
【図３】図３は、本発明の実施形態に関するデータ送信機およびデータ受信機を有しているシステムの概略ブロック回路図を示す。
【図４】図４は、実施の形態に関するデータ送信のための方法のフロー図を示す。
【図５】図５は、実施の形態に関するデータ受信のための方法のフロー図を示す。
【図６】図６は、実施の形態に関するホッピングパターンのセットを生成するための方法のフロー図を示す。
【図７】図７は、実施の形態に関する２つのセットを生成するための方法のフロー図を示す。
【図８ａ】図８ａは、ＴＳＭＡホッピングパターンにおけるフレームの構造図を示す。
【図８ｂ】図８ｂは、２つの周波数チャンネルの占有および第１のホッピングパターンおよび第２のホッピングパターンを使用したデータの繰り返しの送信を示す図である。
【図９】図９は、ＴＳＭＡホッピングパターンの構造の概略を示す図である。
【図１０ａ】図１０ａは、周波数および時間にわたってプロットされたプリセット自己相関特性を含むホッピングパターンの自己相関関数の第１および第２の極大値を示す図である。
【図１０ｂ】図１０ｂは、周波数および時間にわたってプロットされたプリセット自己相関特性を含まないホッピングパターンの自己相関関数の第１および第２の極大値を示す図である。
【図１１ａ】図１１ａは、周波数および時間にわたってプロットされたプリセット相互相関特性を含む２つのホッピングパターンの相互相関関数の第１および第２の極大値を示す図である。
【図１１ｂ】図１１ｂは、周波数および時間にわたって適用されたプリセット相互相関特性を含まない２つのホッピングパターンの相互相関関数の第１および第２の極大値を示す図である。
【図１２】図１２は、実施の形態に関するホッピングパターンを生成するための方法２６０のフロー図である。
【発明を実施するための形態】
【００６３】
本発明の実施の形態の以下の記載において、同じ要素或いは同じ効果を有する要素はそれらの記載が互いに交換し得るように図において同じ符号が付される。
【００６４】
１．ホッピングパターンを使用した単一の（繰り返さない）データの送信
【００６５】
図１は、本発明の実施形態に関するデータ送信機１００およびデータ受信機１１０を有するシステムの概略ブロック回路図を示している。
【００６６】
データ送信機１００は、ホッピングパターンを使用してデータ１２０を送信するように構成されている
【００６７】
データ受信機１１０は、ホッピングパターンを使用してデータ送信機１００からデータ１２０を受信するように構成されている。
【００６８】
図１に示されるように、ホッピングパターン１４０は時間および／または周波数において分散された複数のホップを有しているであろう。
【００６９】
実施の形態において、データ送信機１００は、ホッピングパターン１４０に従って時間および／または周波数において分散されたデータ１２０を送信するように構成されている。したがって、データ受信機１１０はホッピングパターン１４０に従って時間および／または周波数において分散されて送信されたデータ１２０を受信するように構成されているであろう。
【００７０】
図１において典型的に示されているように、データ送信機１００は、データ１２０を送信するように構成された送信ユニット（または送信モジュールまたは送信機）１０２を含むであろう。送信ユニット１０２はデータ送信機１００のアンテナ１０４に接続されるであろう。加えて、データ送信機１００は、データを受信するように構成された受信ユニット（または受信モジュールまたは受信機）１０６を含むであろう。受信ユニット１０６はアンテナ１０４またはデータ送信機１００の更なる（離間した）アンテナに接続されているであろう。データ送信機１００はまた、結合された送信／受信ユニット（トランシーバ）をも含むであろう。
【００７１】
データ受信機１１０はデータ１２０を受信するために構成された受信ユニット（または受信モジュール、または受信機）１１６を含むであろう。受信ユニット１１６は、データ受信機１１０のアンテナ１１４に接続されるであろう。加えて、データ受信機１１０はデータを送信するように構成された送信ユニット（または送信モジュールまたは送信機）１１２を含むであろう。送信ユニット１１２は、アンテナ１１４またはデータ受信機１１０の更なる（離間した）アンテナに接続されるであろう。データ受信機１１０はまた、結合された送信／受信ユニット（トランシーバ）を含むであろう。
【００７２】
実施の形態において、データ送信機１００はセンサノードであってもよく、一方、データ受信機１１０は基地局であってもよいろうが故に、センサーノードであってもよい。典型的に、通信システムは、少なくとも１つのデータ受信機１１０（基地局）および複数のデータ送信機（センサーノード、例えば暖房メータ）を含む。もちろん、データ送信機１００が基地局となり、データ受信機１１０がセンサーノードとなることも可能である。加えて、データ送信機１００およびデータ受信機１１０がセンサーノードとなることが可能である。加えて、データ送信機１００およびデータ受信機１１０が基地局となることが可能である。
【００７３】
データ送信機１００およびデータ受信機１１０はオプションでテレグラム分割方法を使用したデータ１２０の送信或いは受信をするように構成されているであろう。この場合、テレグラムまたはデータパケット１２０は複数のサブデータパケット（または部分データパケットまたは部分パケット）１４２に分割され、そしてサブデータパケット１４２はホッピングパターン１４０に従ってデータ送信機１００からデータ受信機１１０への時間および／または周波数に分散されて送信され、データ受信機１１０はデータパケット１２０を得るためにサブデータパケットを再結合する。サブデータパケット１４２のそれぞれは、データパケット１２０の一部のみを含む。データパケット１２０は更にサブデータパケット１４２のすべてではなくサブデータパケット１４２の一部のみがデータパケット１２０の完全なデコードのために必要とされるようにチャンネル符号化されるであろう。
【００７４】
既に記したように、複数のサブデータパケット１４２の時間的な分散は時間ホッピングパターンおよび／または周波数ホッピングパターンに従って行われるであろう。
【００７５】
時間ホッピングパターンはサブデータパケットが送信される送信時間または送信時間間隔のシーケンスを示すであろう。例えば、第１のサブデータパケットは第１の送信時間（または第１の送信時間スロット）に送信され、第２のサブデータパケットは第２の送信時間（または第２の送信時間スロット）に送信され、第１の送信時間と第２の送信時間とは異なる。ここで、時間ホッピングパターンは、第１の送信時間および第２の送信時間を定義する（または、特徴化するまたは示す）であろう。或いは、時間ホッピングパターンは第１の送信時間または第１の送信時間と第２の送信時間との間の時間間隔を示すであろう。もちろん、時間ホッピングパターンはまた、第１の送信時間および第２の送信時間との間の時間間隔をちょうど示すであろう。サブデータパケット間においては、送信が行われない送信の休止があるであろう。サブデータパケットもまた時間的にオーバーラップするであろう。
【００７６】
周波数ホッピングパターンは送信周波数のシーケンス或いはサブデータパケットが送信された送信周波数ホップを示すであろう。例えば、第１のサブデータパケットは第１の送信周波数（または第１の周波数チャンネル）をもって送信され、第２のサブデータパケットは第２の送信周波数（または第２の周波数チャンネル）をもって送信されるであろうし、第１の送信周波数および第２の送信周波数は異なる。周波数ホッピングパターンは第１の送信周波数および第２の送信周波数を定義する（または特徴化するか示す）であろう。あるいは、周波数ホッピングパターンは第１の送信周波数、および第１の送信周波数並びに第２の送信周波数の間の周波数間隔（送信周波数ホップ）を示すであろう。もちろん、周波数ホッピングパターンはまた、第１の送信周波数および第２の送信周波数の間の周波数間隔（送信周波数ホップ）をちょうど示すであろう。
【００７７】
もちろん、複数のサブデータパケット１４２もまた、時間および周波数の両者において分散されデータ送信機１００からデータ受信機１１０へ送信されるであろう。時間および周波数における複数のサブデータパケットの分散は時間／周波数ホッピングパターンに従って行われるであろう。時間／周波数ホッピングパターンは、時間ホッピングパターンおよび周波数ホッピングパターンの組み合わせ、すなわち、サブデータパケットが送信された送信時間および送信時間間隔のシーケンスであり、送信周波数（または送信周波数ホップの送信）は送信時間（または送信時間間隔）に対し割り当てられる。
【００７８】
図２は、時間および／または周波数ホッピングパターンに従って複数のサブデータパケット１４２の送信中の送信チャンネルの占有を示す図を示している。ここでは、縦座標は周波数を記述し、そして、横座標は時間を記述する。
【００７９】
図２においてみられるように、データパケット１２０は、n = 7サブデータパケット１４２の間で分割されてもよく、データ送信機１００からデータ受信機１１０へ時間および／または周波数ホッピングパターンに従って時間および周波数において典型的に分散して転送されるであろう。
【００８０】
更に図２にみられるように、同期シーケンス１４４はまた、データ（図２におけるデータシンボル）１４６のほかに、複数のサブデータパケット１４２がそれぞれ同期シーケンス（図２における同期シンボル）１４４の一部を含むように、複数のサブデータパケット１４２間に分割されるであろう。
【００８１】
２．２つのホッピングパターンを使用したデータの繰り返しの送信
【００８２】
上記および図１に例示的に示されたデータ送信機１００は、データ送信機１００がデータ１２０を第１のホッピングパターンおよび繰り返し（すなわち、再び）第２のホッピングパターンを使用して送信する繰り返しの送信モードによって増強されるであろう。データ送信機１００は繰り返しの送信モードおよび換言すれば上記のような一度の送信モードにより操作されるであろう。もちろん、データ送信機１００も両方のモードにおいて操作されるであろう。
【００８３】
同様に、上記および図１に例示的に示された上記データ受信機１１０は、上記データ受信機１１０がデータ１２０を第１のホッピングパターンおよび繰り返し（すなわち、再び）第２のホッピングパターンを使用して受信する繰り返しの送信モードによって増強されるであろう。データ受信機１１０は繰り返しの送信モードおよび一度の送信モードすなわち上述のようなモードにより操作されるであろう。もちろん、上記データ受信機１１０も両方のモードにおいて操作されるであろう。
【００８４】
以下の記載は主に繰り返し送信モードに直接的につながり、それ故単一送信モードに関しては上記の説明を参照されたい。加えて、単一の送信モードの上述した側面は繰り返し送信モードも適用できることに留意されたい。
【００８５】
図３は、本発明の実施の形態に関するデータ送信機１００およびデータ受信機１１０を有するシステムの概略ブロック回路図である。
【００８６】
データ送信機１００は、第１のモード（繰り返し送信モード）において、送信データ１２０を第１のホッピングパターン１４０＿１および第２のホッピングパターン１４０＿２を使用して繰り返し送信するように構成される。更に、データ送信機１００は、第２のモード（＝単一の送信モード）において、第３のホッピングパターン１４２（図１参照）を使用する送信データを１回だけ（すなわち、１回、繰り返しではない）送信するように構成され、第１のモードのホッピングパターンと第２のモードのホッピングパターンとは異なる。
【００８７】
データ受信機１１０は、第１のモードにおいて、データ１２０を第１のホッピングパターン１４０＿１および第２のホッピングパターン１４０＿２を使用して繰り返し受信するように構成される。更に、データ受信機１１０は、第２のモードにおいて、第３のホッピングパターン１４２（図１参照）を使用してデータ１２０を一度（すなわち、１回、繰り返しではない）受信するように構成され、第１のモードのホッピングパターンと第２のモードのホッピングパターンとは異なる。
【００８８】
例えば、データ受信機１１０は、第１のホッピングパターン１４０＿１および／または第２のホッピングパターン１４０＿２、に基づいたデータの繰り返しの送信を検出し、そして第３のホッピングパターンに基づいたデータの１回の送信を検出するように構成されるであろう。
【００８９】
実施の形態において、データ受信機は、１つのホッピングパターンをもって送信されたデータを受信するための受信データストリームにおける２つのホッピングパターンのうちの１つ（例えば、第１のホッピングパターン）を検出するように構成されるであろうし、データ受信機１１０は、他のホッピングパターン（例えば、第２のホッピングパターン）をもって送信されたデータを受信するために既に検出したホッピングパターン（例えば、第１のホッピングパターン）を使用して受信データストリームにおける他のホッピングパターン（例えば、第２のホッピングパターン）を決定するように構成されているであろう。
【００９０】
例えば、これは検出および同期（例えば時間／周波数推定）が１回だけ実行されなければならないのみの、或いは、２つのホッピングパターンのうちの１つを検出するために十分な、データ受信機にとって利点を有している。例えば、検出は、Es/N0 (例えば、およそ-3dB)までに特定されたほとんどすべてのホッピングパターン（例えば、テレグラム）を検出するように設計される。それ故に、低いEs/N0において、両方の送信において検出がもたらされることは、保証されないであろう。２つの送信（第１のホッピングパターンおよび第２のホッピングパターン）の間の時間／周波数の一貫性のために２つの送信のうちの１つのみを検出することで十分である。
【００９１】
例えば、データ受信機１１０は、ホッピングパターン１４０＿１および１４０＿２の少なくとも１つを見つけたとしても、ホッピングパターン１４０＿１および１４０＿２を探すであろう。そのとき、データ受信機１１０はこのホッピングパターンをデコードするであろうし、それが完全であるかどうかを決定するであろう。もしそれが完全でないなら、データ受信機１１０は、既に検出されたホッピングパターンが第１または第２の送信（第１のホッピングパターンまたは第２のホッピングパターン）かどうかを知らないとはいえ、他のホッピングパターンを探すであろう。それが見つけるのにより難しかったゆえに、単一のデコードはこの場合において助けにならないかもしれない。それゆえ、ＭＲＣ（最大比合成）が行われる。データ受信機１１０は、２つの送信からのデータのLLR（複数）を計算し、そしてデコーダを介して通過するためにこれら（個々のC/Isに基づいた重み）を加えるであろう。ここで、単一の放射と較べて成し遂げられる。
【００９２】
第１のホッピングパターン１４０＿１および第２のホッピングパターン１４０＿２は、第３のポッピングパターンがホッピングパターンの第２のセットから選択されるが故に、ホッピングパターンの第１のセットから選択される。ホッピングパターンの第１のセットおよびホッピングパターンの第２のセットは異なるであろう。
【００９３】
例えば、第１のモードにおけるデータの送信のため、データ送信機１００（またはデータ受信機１１０）は、ホッピングパターンの第１のクラス（例えば、項目３．３に示された８つのホッピングパターンから）から、第１のホッピングパターン１４２＿１および第２のホッピングパターン１４２＿２を選択し、一方第２のモードのデータの送信のため、さらなるデータ送信機が、ホッピングパターンの第２のクラス（例えば項目３．２に示された８つのホッピングパターンから）からのホッピングパターンを選択するであろう。ホッピングパターンの第１のクラスおよびホッピングパターンの第２のクラスが異なることは、データ送信機および他のデータ送信機による同時或いは少なくとも時間的に重複したデータの送信においてでさえ、衝突確率は、可能な限り低く維持できることを保証できるあろう。
【００９４】
データ送信機およびデータ受信機の間の接続を確立するために、第１のモードにおける第１のホッピングパターン１４０＿１および第２のホッピングパターン１４０＿２および、第２のモードにおいて、ホッピングパターンの第３のセットから第３のホッピングパターンのすべてが選択される。ホッピングパターンの第３のセットはホッピングパターンの第１のセットまたはホッピングパターンの第２のセットのサブセットであるか、またはそれはそれらから異なるであろう。
【００９５】
第１のホッピングパターン１４０＿１および第２のホッピングパターン１４０＿２は、第１のホッピングパターン142＿0および第２のホッピングパターン142＿0が少なくとも部分的にインターリーブされるように相対的にシフトされる。
【００９６】
例えば、第１のホッピングパターン１４０＿１および第２のホッピングパターン１４２＿０は、ホッピングパターンのホップ１４２が時間および／または周波数において間隔をあけるように、時間および／または周波数において分散されたホップ１４２を含み、第１のホッピングパターン１４０＿１および第２のホッピングパターン１４０＿２は、第２のホッピングパターン１４０＿２のホップ１４２の少なくとも一部が第１のホッピングパターン１４０＿１のホップの少なくとも宇一部の間に配置されるように時間および周波数において互いに相対的にシフトされるであろう。例えば、第１のホッピングパターン１４０＿１のホップ１４２および第２のホッピングパターン１４０＿２のホップ１４２は、時間において交互に配置されるであろう。
【００９７】
第１のホッピングパターン１４０＿１および第２のホッピングパターン１４２＿０は、異なっているであろう。例えば、第１のホッピングパターン１４０＿１のホップ１４２および第２のホッピングパターン１４０＿２のホップ１４２は、時間および／または周波数において異なって分散されているであろう。例えば、第１のホッピングパターン１４０＿１の２つの連続するホップ（例えば第１のホップおよび第２のホップ）は、第２のホッピングパターン１４０＿２の２つの連続するホップ（例えば第１のホップおよび第２のホップ）とは、異なる時間間隔および／または周波数間隔を有しているであろう。
【００９８】
第２のホッピングパターン１４０＿２は、第１のホッピングパターンの周波数がシフトしたバージョンおよび／または時間がシフトしたバージョンであろう。例えば、第１のホッピングパターン１４０＿１および第２のホッピングパターン１４２＿２は同じであり、時間のみがシフトしたものおよび／または周波数がシフトしたものであろう。例えば、第１のホッピングパターン１４０＿１のホップ１４２および第２のホッピングパターン１４０＿２のホップ１４２は、同じ相対時間間隔および周波数間隔を有しているであろう。
【００９９】
データ送信機１００は、一部が重複するかまたは異なる周波数帯域においてのみ、第１のホッピングパターン１４０＿１および第２のホッピングパターン１４０＿２を送信するように構成されるであろう。
【０１００】
更に、データ送信機１００は、少なくとも２つの異なった周波数帯域のうちの１つにおいて第１のホッピングパターン１４０＿１または第２のホッピングパターン１４０＿２をランダムに送信するように、および他の周波数帯における他のホッピングパターンを送信するように、構成されているであろう。
【０１０１】
データ送信機１００は、データ送信機１００の演算パラメータに応じて、第１のホッピングパターン１４０＿１および第２のホッピングパターン１４０＿２の間の時間オフセットおよび／または周波数オフセットを決定するように構成されているであろう。この場合において、データ送信機１００の動作パラメータは、データ受信機１１０に知られていてもよく、またはデータ受信機１１０は動作パラメータを決定するように構成されていてもよく、例えば、仮説テストによって推定されるか計算されるように構成されるであろう。加えて、データ受信機１１０は、正しいオフセットが見つかるまで全ての可能な時間オフセットを試みるように構成されるであろう。加えて、データ受信機１１０は、正しい周波数オフセットが見つかるまで全ての周波数オフセットを試みるように構成されるであろう。
【０１０２】
例えば、データ送信機１００の演算パラメータは、例えばアドレス指定情報、識別情報、クォーツ公差、周波数オフセットまたは使用できる送信エネルギーである、データ送信機自体の固有のパラメータであろう。
【０１０３】
例えば、データ送信機１００の演算パラメータは、データ送信機１００に割り当てられた周波数オフセット、例えば割り当てられた時間オフセット、無線セル、地理的位置、システム時刻またはデータ送信機或いはデータの優先度であろう。
【０１０４】
例えば、データ送信機１００の演算パラメータは、少なくともペイロードデータまたはエラー保護データの一部であろう。
【０１０５】
例えば、データ送信機１００の演算パラメータは、ランダムな周波数オフセットまたはランダムな時間オフセットであろう。
【０１０６】
図４は、実施の形態に従ってデータを送信するための方法１６０のフロー図を示している。方法１６０は、第１のモードにおいて、第１のホッピングパターンおよび第２のホッピングパターンを使用してデータを繰り返し送信１６２することを含む。更に、方法１６０は、第２のモードにおいて、第３のホッピングパターンを１回だけ使用したデータの送信１６４を含み、ホッピングパターンの第１のモードと第２のモードとは異なっている。
【０１０７】
図５は、本実施の形態に関する受信したデータための方法１７０のフロー図を示している。方法１７０は、第１のモードにおいて、第１のホッピングパターンおよび第２のホッピングパターンを繰り返し使用したデータの受信１７２を含む。更に、方法１７０は、第２のモードにおいて、第３のホッピングパターンを１回だけ使用したデータの受信１７４を含み、第１のモードのホッピングパターンと第２のモードのホッピングパターンとは、異なっている。
【０１０８】
３．ホッピングパターンの生成。
【０１０９】
以下のように、ホッピングパターンを生成するための方法の実施の形態が更に具体的に記載される。具体的には、図６は、ホッピングパターンによるデータの単独（例えば、一度）の送信のためのホッピングパターンを形成するための方法を示し、図７は、２つのホッピングパターンによりデータを繰り返し送信するためのホッピングパターンを生成するための方法を示している。
【０１１０】
図６は、本実施の形態に関するホッピングパターンのセットを生成するための方法２００のフロー図を示している。方法２００は、複数のホッピングパターンのランダムな生成２０２を含み、ホッピングパターンは時間および周波数により分散された少なくとも２つのホップを含む。方法２００は、プリセット自己相関特性をもったホッピングパターンを得るために複数のホッピングパターンから自己相関関数がプリセット自己相関関数を含む、少なくとも複数のホッピングパターンを選択２０４することを更に含む。
【０１１１】
実施の形態において、プリセット自己相関特性は、自己相関関数の第２の極大値がプリセット最小振幅閾値を超えないホッピングパターンによって実現されるであろう。例えば、振幅閾値は、ホッピングパターンが分割された複数のクラスターの複数のホップに等しいであろう。例えば、クラスターは、互いに相対的に同じ時間および／または周波数間隔を含む複数のホップとなるであろう。
【０１１２】
実施の形態において、プリセット自己相関特性は、プリセット閾値よりも小さいそれぞれの自己相関関数が最も大きな振幅値の所定数にわたって形成された小計を有するホッピングパターンによって実現されるであろう。ここで、閾値は少なくとも２つのホッピングパターン（または所定数のホッピングパターン）が、プリセット自己相関特性を実現するように選択されるであろう。
【０１１３】
図６にみられるように、方法２００はプリセット自己相関特性を持ったホッピングパターン間の相互相関関数の計算２０６を更に含むであろう。更に、方法２００は、プリセット自己相関特性およびプリセット相互相関特性をもったホッピングパターンを得るためにプリセット自己相関特性を持ったホッピングパターンから、そのホッピングパターンはプリセット相互相関特性を有する相互相関関数をもつホッピンングパターンを選択する２０８ことを含むであろう。
【０１１４】
実施の形態において、プリセット相互相関関数は、それぞれの相互相関関数が最小となる予め設定された数の最大振幅値にわたって形成された小計が最小となるホッピングパターンによって満たされるであろう。
【０１１５】
図７は、ホッピングパターンの第１のセットおよびホッピングパターンの第２のセットを生成するための方法２１０のフロー図を示している。方法２１０は、ホッピングパターンの第１のセットのための複数のホッピングパターンおよびホッピングパターンの第２のセットのための複数のホッピングパターンのランダムな生成２１２を含み、ホッピングパターンは、周波数においておよび時間において分散された２つのホップを少なくとも含み、ホッピングパターンの第１のセットとホッピングパターンの第２のセットについてのホッピングパターンとは異なる。加えて、方法２１０は、ホッピングパターンの第１のセットのための複数のホッピングパターンから、ホッピングパターンの第１のセットのための複数のホッピングパターンから、ホッピングパターンの第１のセットのためのプリセット自己相関特性をもつホッピングパターンを得るためのプリセット自己相関特性を含む自己相関特性をもったホッピングパターンを選択するステップ２１４とであり、ホッピングパターンの第２のセットのための複数のホッピングパターンから、ホッピングパターンの第２のセットのためのプリセット自己相関特性をもつホッピングパターンを得るためにプリセット自己相関特性を含む自己相関特性をもったホッピングパターンを選択するステップとを含む。
【０１１６】
実施の形態において、ホッピングパターンの第２のセットのためのホッピングパターンのホップの時間間隔は、ホッピングパターンの第１のセットのためのホッピングパターンのホップの１つの時間的な長さと少なくとも同じ大きさであろう。
【０１１７】
例えば、可能な限り多くの反復としてインターリーブするために、２つのサブデータパケット（またはバースト）の間の最短時間間隔は最大となるであろう。これは(T＿Frame − N*T＿Burst)/(N-1),すなわち、バースト（クラスター内およびクラスター間）の等距離の時間の分散となるであろう。明らかに、この規則性は、設計プロセスのために最適ではなく、わずかなジッターが導入されるかもしれない。
【０１１８】
実施の形態において、プリセット自己相関特性は、自己相関関数の第２の最大値がプリセットの最小限振幅の閾値を超えないを持つホッピングパターンによって実現されるであろう。例えば、振幅閾値が、ホッピングパターンが分割された複数のクラスターの１つのクラスターのホップの数に等しいであろう。例えば、クラスターは、互いに同じ時間および／または周波数間隔を持つホップであろう。
【０１１９】
実施の形態において、プリセット自己相関特性は、プリセット閾値よりも小さいそれぞれの相対的な自己相関関数が最も大きな振幅値の所定数にわたって小計が形成されたホッピングパターンによって実現されるであろう。ここで、閾値は少なくとも２つのホッピングパターン（または所定数のホッピングパターン）が、プリセット自己相関特性を実現するように選択されるであろう。
【０１２０】
図７にみられるように、方法２１０は、更にホッピングパターンの第１のセットのためのプリセット自己相関特性をもったホッピングパターン間の相互相関関数と、ホッピングパターンの第２のセットのためのプリセット自己相関特性をもったホッピングパターンとの間の相互相関関数の計算２１６を含むであろう。更に、方法は、ホッピングパターンの第１のセットについてのプリセット自己相関特性およびプリセット相互相関特性をもったホッピングパターンを得るために相互相関関数がプリセット相互相関特性を有するホッピングパターンを、ホッピングパターンの第１のセットのためのプリセット自己相関特性をもったホッピングパターンから選択し、および、ホッピングパターンの第２のセットについてプリセット自己相関特性およびプリセット相互相関特性をもったホッピングパターンを得るために相互相関関数がプリセット相互相関特性を有するホッピングパターンを、ホッピンングパターンの第２のセットのためのプリセット自己相関特性をもったホッピングパターンから選択２１８することを含むであろう。
【０１２１】
実施の形態において、プリセット相互相関特性は、それぞれの相互相関関数の最大振幅値の所定数にわたって形成された小計が最小のホッピングパターンによって満たされるであろう。
【０１２２】
３．１  ＴＳＭＡのためのホッピングパターンの生成
【０１２３】
例えば、図６または図７に示される方法をもって生成されたホッピングパターンは、"テレグラム分割多重アクセス(telegram splitting multiple access ；TSMA)"と称される方法を使用した基地局への多くのセンサーノードからの一方向性や双方向性のデータ送信のためのシステムにおいて使用される。
【０１２４】
ＴＳＭＡにおいて、メッセージの送信は、異なる長さの伝送自由な時間間隔が各々ある多数のショートバースト（＝ホップ、或いはサブデータパケット）１４２へ小分けされる。ここでバースト１４２は、実数および疑似乱数の原理に従って、時間をまたいで、また利用可能な周波数をまたいで分布することができる。
【０１２５】
このテレグラム分散のアプローチは、他のセンサーノードの干渉に対してそれが自システムから来るか外のシステムから来るかに関わらず特に大きなロバスト性を与える。特に、自身のセンサーノードにおける干渉ロバスト性は、様々なユーザーの信号バーストを可能な限り均一に時間領域におよび周波数領域に分散させることにより達成される
【０１２６】
このランダム的な分散は、様々な方法により達成される、例えば、（１）周波数に関する水晶の基準発振器の避けられない許容偏差によって、（２）ランダムな非同期チャンネル・アクセスを通しての時間領域結果の任意の粒状、そして（３）異なるホッピングパターンへの異なるセンサー・ノードの異なるバースト配置によるもの。
【０１２７】
データ送信における故障確率の更なる増加を達成するために、時間／周波数ダイバーシティは、ペイロードデータを送信するときに使用されるであろう。サブデータパケット（バースト）は、例えば、可能な限り異なっているホッピングパターンそして、例えば可能な限り異なっている周波数バンド（周波数帯）、において時間的にオフセットして少なくとも２度送信されるであろう。信号の送信のためにセンサーノードにおける１つの送信機のみ利用可能であるため、ホッピングパターンの時間的なバースト配置に関して一定の制約があり結果としてインターリーブされた反復が行われる。繰り返しのある場合における第１および第２の送信のインターリーブされた配置は以下でより詳細に説明される。
【０１２８】
多様な冗長信号は、例えば、最大比合成（ＭＲＣ）、等利得合成、スキャニング／スイッチング合成といった、全ての可能な方法において受信機側で合成されるであろう。しかしながら、多様な冗長なホッピングパターンを設計するとき、結合器は、最初の送信に代えて繰り返しの送信が行われたことを可能な限りシンプルな方法として検出する必要がある。
【０１２９】
ホッピングパターンの設計および最適化は以下に詳細に記載される。
【０１３０】
ＴＳＭＡ送信方法において、図８ａに示されたデータパケット１２０（下記にフレームとしても記されている）の個々のバーストは、時間および周波数にもわたって分散される。
【０１３１】
詳細には、図8ａは、ＴＳＭＡホッピングパターン１４０を持つフレーム１２０の構造図を示す。この場合、縦軸が周波数、またはチャンネル（周波数チャンネル）を記載し、そして横軸が、時間を記載している。
【０１３２】
2020526129.tif 000017
【０１３３】
2020526129.tif 000018
【０１３４】
以下に、Ｎバースト１４２の時間および周波数における配置を、ＴＳＭＡパターン（ＴＳＭＡホッピングパターン）と言う。もしこのホッピングパターンが受信機により認識されれば、いくつかまたはすべてのバースト１４２において位置づけられたパケットシーケンスに基づき同じものに関して同期し、そして受信データをデコードするであろう。
【０１３５】
以下のシステムの仮定および限定は１つまたは複数のＴＳＭＡパターンの設計と考えられるであろう。
【０１３６】
2020526129.tif 000019
【０１３７】
2020526129.tif 000020
【０１３８】
2020526129.tif 000021
【０１３９】
2020526129.tif 000022
【０１４０】
2020526129.tif 000023
【０１４１】
上述の１）〜３）のポイントは、一度送信された（＝１度或いは繰り返さない）データ（ペイロードデータ）のためのホッピングパターンの設計のための基礎として使用されるであろう。
【０１４２】
データ送信における故障確率を更に増加するために、ペイロードデータが送信されたときにインターリーブされた繰り返しの形態の時間／周波数ダイバーシティを任意に使用できる。この場合、繰り返される２つのホッピングパターンのバースト（＝ホップまたはサブデータパケット）１４２は、例えば図８ｂに示されるようなフレームごとに時間的にインターリーブされるであろう。二つの反復に必要な送信時間を可能な限り短くするために、第１／第２の送信のバーストを、交互に行うインターリーブ方式が使用されるであろう。
【０１４３】
ここでは新たに設計するホッピングパターンについて更にどのような要求が存在するかを説明する。繰り返しのデータ送信のための新たなホッピングパターンは、オプションとして例えば、一度送信されたデータのためのホッピングパターンと一致してもよく、可能な限り低い相互相関を有してもよい。
【０１４４】
（４）周波数ホッピングパターンの選択。ＴＭＳＡホッピングパターンは堅牢（ロバスト）であろうａ）他のシステム（帯域幅も干渉の期間も、ここではわかっていない）からの外的干渉に対して、およびｂ）それ自体のシステムからの干渉に対して。追加的に、それは、ｃ）最大確率を使用して結合させたときに部分的において、受信機が繰り返しを伴う送信と伴わない送信との区別を可能な限り容易にするものであろう。内外の送信間の際のための受信機のために、できるだけ容易にするものであろう。ａ）〜ｃ）の点は、設計プロセスに依存せず、予め決定されてもよい。例えば、外的干渉に対する改良された或いは幾分最大化した干渉ロバスト性は、２つの異なる周波数帯域（それぞれの繰り返しＬ周波数チャンネルをもった）に繰り返させることにより達成されるであろう。周波数距離（図８ｂ参照）が大きいほど、外的干渉源の両フレームの同時性の干渉となり得る可能性は低くなる。詳細には、図８ｂは、図において第１のホッピングパターン１４０＿１および第２のホッピングパターン１４０＿２によるデータの繰り返しの送信における２つの周波数チャンネル１５０＿１および１５０＿２の占有を示す。ここで、縦座標は周波数を示し、横座標は時間を示している。言い換えれば、図８ｂは２つの異なる周波数バンドを使用したときの繰り返しをもってインターリーブされたフレームの送信を示す。
【０１４５】
例えば、受信機（データ受信機）は、もし２つの送信タイプのために異なるホッピングパターンが用いられたら、ホッピングパターンに基づく繰り返しを用いる送信用いない送信の間で区別できるであろう。一般的な適用性を制限することなく、例えば、項目３．２に示されるホッピングパターンは、繰り返しのない送信のために使用されるであろう、そして項目３．３に示されるホッピングパターンは、繰り返しのある送信のために使用されるであろう。原則として、異なる（新しい）ホッピングパターンは第２の送信と比べて繰り返しモードおける第１の送信において使用されるであろう。しかしながら、以下に説明する対応する手段を使用する場合、単一のホッピングパターンの使用が繰り返しモードにおけるすべての送信に対し十分であることが示されている。加えて、この方法はまた、受信機が繰り返しモードにおいて同じパターンの個々のバーストの同時検出をすることをより容易にする。
【０１４６】
以下は、繰り返し（点４ｂ）の場合において第１および第２の送信における同じホッピングパターンを使用しているとき、自身のシステムからの干渉に対するロバスト性をどのように改良或いは最大にすることが達成されるかを説明している。実施の形態によれば、単一の送信（例えば項目３．２からのホッピングパターン）では繰り返し（例えば項目３．２からのホッピングパターン）の場合には、第１および第２の送信とは異なるホッピングパターンが用いられるため、繰り返し（フレームのすべてのＮバーストの重複）の場合におけるホッピングパターンとの十分な干渉が不可能になる。後の例は、相互相関に基づいて最悪の場合、（クラスターの）Ｃバーストが満たされる可能性があることを示す。もしホッピングパターンが、クラスターにおけるバースト間の異なる時間間隔をも（軽く）有する繰り返しのケースのために使用されるのであれば、ヒットの平均数は再び減じられるであろう。以下は、繰り返しモードにおいて同じホッピングパターンを使用した送信の耐干渉性と考えられる。もし同じホッピングパターンをもった二つの送信機が、同じ周波数バンドにおける同じ時間T0（図８ｂ参照）に（送信を）始めたのであれば、何も対抗策を用いずに、繰り返しモードの両方のフレームにおける全ての２Ｎバーストは完全に重畳されるであろう。そのような状況は、パラメーターバリエーションによりほとんど完全に避けられるであろう。例えば、ダイバーシティは可変マルチ・ステージ時間オフセットTW（図２参照）の導入によりまたは、２つの周波数バンドＡ或いはＢの１つにおける第１のバーストのランダムなスタートにより達成されるであろう。加えて、例えばランダムな正或いは負の周波数オフセット（例えば複数のキャリア距離Ｂｃにおける）は、ＴＳＭＡパターンに適応されるであろう。[ETSI TS 103 357 V0.0.5 (2017-03), "ERM-Short Range Devices - Low Throughput Networks; Protocols for Interfaces A, B and C ", Chapter 7 "Telegram splitting ultra-narrow band (TS-UNB) family, March 2017],の仕様によれば、８つの異なる繰り返しホッピングパターンの付加的な仕様は、２つのホッピングパターンがランダムに等しいT0において外に互いに完全に相殺するであろう残差確率０．２％となる。T0での２つのデータ送信機の送信のランダムな一致は、デューティサイクルおよびバースト期間に依存し、通常は既に低いPTT 範囲内にある。
【０１４７】
2020526129.tif 000024
【０１４８】
上述した制約を考慮すると、図９に示されるＴＳＭＡパターン１４２の構造が生じる。
【０１４９】
詳細には、図９は、ＴＳＭＡホッピングパターン１４２の構造の概略図である。この場合、縦座標は周波数チャンネルにおける周波数を示し、横座標は周波数チャンネルにおける時間を示している。換言すれば、図９は、クラスター配置および周波数の占有をもったＴＳＭＡホッピングパターンの構造を示している。
【０１５０】
2020526129.tif 000025
【０１５１】
これは、周波数チャンネルの占有に関する以下の自由度の結果である。８つのクラスターにおける３つのバーストが互いに相対的に同じ周波数間隔を持つため、少なくとも更に８つの周波数帯域が保持され、３つのバーストの基本割り当てのための２８の周波数帯域の最大の揺れを残す。例えば、３つの異なる周波数帯域をもったいくつかの相対的な割り当てが実行されている。ベース割り当て(1,28,14)または(1,24,12)の場合であるように、,例えば、近隣のバーストにおける最大の周波数振れ幅は、後の最適化に関する有利性を証明する。互いに関する個々のクラスターの割り当ても、ランダムに行われる。例えば、ベース割り当て(1,28,14)において、番号の順序[1,2,3,4,5,6,7,8]は、互い(Matlab command: randperm(8))に任意に変更され、およびこれら８つの異なる各値は、８つのクラスターにおけるバーストの周波数の割り当てを得るためにベース割り当てが加えられるであろう。ベース割り当て(1,24,12)の場合、１２の開始値(Matlab command: randperm(12))の置換でさえ可能となる。そして８つのクラスタにおけるバーストの周波数割り当てを得るためにこれらが異なる値を、それぞれベース割り当てに加えられるであろう。もしこのホッピングパターンの２つのグループが、例えば繰り返しの有無にかかわらず８つのホッピングパターンのうち２つのグループを設計すれば、異なる周波数掃引をもった２つのベース割り当ての使用が推奨される。この場合、完全なクラスターはグループ間で衝突されないであろう。
【０１５２】
2020526129.tif 000026
【０１５３】
"Telegram Splitting Multiple Access (TSMA)"方法において、メッセージは、ホッピングパターンに従って時間方向および周波数方向の両方において多くの小さいバースト１４２へ分割される。個々のセンサーノード１００の非同期通信および異なる周波数偏移により、バースト１４２は時間にわたっておよび利用できる周波数スペクトルにもわたって拡散されている。もしすべてのセンサーノード１００が同じホッピングパターンを持っていれば、参加者の数が増えると、異なる参加者のバースト（最悪のケースは完全に）がより多くの時間およびより多くの周波数において重複しそれ故に互いに干渉する。フレーム１２０内のバースト１４２が他の参加者のバーストにより妨げられるほど、受信サイドのエラー修正の失敗および、送信エラーが起こる可能性がより高まる。
【０１５４】
2020526129.tif 000027
【０１５５】
最適なホッピングパターン１４２を合成するために、期待されるパケットのエラー率に関して理想的に厳しく単調であり、その最小化は例えばパケットのエラー率をも理想的に最小化する、マトリクスが必要とされる。実施の形態において、ホッピングパターンの２次元（２Ｄ）自己相関および／または相互相関は、設計基準として考えられるであろう。
【０１５６】
2020526129.tif 000028
【０１５７】
2020526129.tif 000029
【０１５８】
2020526129.tif 000030
【０１５９】
2020526129.tif 000031
【０１６０】
2020526129.tif 000032
【０１６１】
2020526129.tif 000033
【０１６２】
2020526129.tif 000034
【０１６３】
以下において、個々のデザインステップが詳細に記載される。
【０１６４】
2020526129.tif 000035
【０１６５】
2020526129.tif 000036
【０１６６】
もし検索しているホッピングパターン１４２のセットが異なるとき、第１の設計ステップが、新たなパラメータセットをもって繰り返される。例えば、異なる発振器偏移で数セットのホッピングパターンを生み出して、一緒にそれらを最適化することが願まれるかもしれない。異なる発振器偏移は異なるガードストリップＳをもたらし、その結果、可能なバースト占有の自由度が変化する。この点で、ＡＣＦ計算の範囲内のいくつかのパラメータも変わる。または、多段階の時間オフセットＴＷを使用した複数の繰り返しを可能にする新しいホッピングパターンのセットが生成される。ここで、必要条件は時間の挙動に関して変わる。もしホッピングパターンのバーストごとの交互のインターリーブされた配列が意図されるならば、ホッピングパターンの２つのオリジナルのバーストの最短距離が決定されて、指定されるかもしれず、それによって時間オフセットＴＷを設定する。この場合、時間オフセットＴＷは、最小限の時間TA＿minより大幅に大きいものが選ばれる必要がある。
【０１６７】
第１の設計ステップ、すなわち、ホッピングパターンのセットのP1optimum候補の発見は、異なるパターンのセットのP2optimum候補の発見から完全に独立して行われる。この点において、パターン（クラスター、周波数パターン、時間間隔、等）および設計パラメータ（Nthreshold、Vsort、2D-ACF Θx,xの行および列の数、等）における全てのパラメータの仕様は任意に変更できるであろう。すべての候補の組み合わせは、第２の設計ステップ、すなわち相互相関の計算においてのみ実行される。
【０１６８】
2020526129.tif 000037
【０１６９】
2020526129.tif 000038
【０１７０】
2020526129.tif 000039
【０１７１】
2020526129.tif 000040
【０１７２】
2020526129.tif 000041
【０１７３】
2020526129.tif 000042
【０１７４】
2020526129.tif 000043
【０１７５】
ホッピングパターンを決定するときのすべてのデザインプロセスおよび自由度は、再度図１２において記されている。同時であるホッピングパターンのいくつかのセットの最適化への可能性が考えられるが、それは示されているだけである。
【０１７６】
詳細には、図１２は実施の形態によるホッピングパターンの生成のための方法２６０のフロー図を示す。
【０１７７】
第１のステップ２６２において、方法２６０が開始される。
【０１７８】
第２のステップ２６４において、ｎは１と等しく設定し、ｎは可変に実行される。
【０１７９】
第３のステップ２６６において、ホッピングパターンはランダムに生成される。ここで、上述した周波数チャンネルの占有に関する自由度が、例えば、クラスター内のバーストのベース割り当てとクラスターの互いに関する割り当てを有するバーストの周波数チャンネルの割り当てを考慮するであろう。さらに、上記の時間間隔に関する自由度は、例えばクラスターおよびクラスター間の時間間隔の決定と考えられるであろう。
【０１８０】
2020526129.tif 000044
【０１８１】
2020526129.tif 000045
【０１８２】
もしホッピングパターンが特定の自己相関特性を含まない場合は、第３のステップが繰り返される。もしホッピングパターンが特定の自己相関特性を含む場合は、方法は継続される。
【０１８３】
第６のステップ２７２において、ホッピングパターン（特定された自己相関特性をもった）およびマトリクスＸが保存されるであろう。更にインデックスｎは１増加される、n = n+1であろう。
【０１８４】
2020526129.tif 000046
【０１８５】
2020526129.tif 000047
【０１８６】
第８のステップ２７６において、ホッピングパターンの新しいセットが生成されたかどうかが決定される。もしこれがそのケースであれば、第２のステップが繰り返される。もしこれがそのケースでなければ、方法は継続される。さらに、ホッピングパターンの更なるセットが、他のパラメーターセット例えば、他の発振器オフセットまたは異なる時間間隔或いは周波数ホップを有する分割時間をもつ他のクラスター設計に対して、任意に生成できるかどうかが決定されるであろう。
【０１８７】
2020526129.tif 000048
【０１８８】
2020526129.tif 000049
【０１８９】
2020526129.tif 000050
【０１９０】
第１２のステップ２８４において、TS ≦TSthresholdかどうかが決定されるであろう。もしTS ≦TSthresholdを満たさなければ、ｎは１より増加し、n = n+1となり、第１１のステップ２８２が繰り返される。もしTS ≦TSthresholdであれば、閾値TStresholdはＴＳにより上書きされ、方法は継続される。
【０１９１】
第１３のステップ２８６において、選択されたホッピングパターンは保存されるであろう。
【０１９２】
第１４のステップ２８８において、n ≧ cancellationかどうかが決定される。もしn ≧ cancellationを満たされていなければ、ｎは１よりも増加し、n = n+1となり、第１１のステップ２８２は繰り返される。もしn ≧ cancellationが満たされていれば、方法は完了する。
【０１９３】
以下では、上述した方法をもって生成されたであろうホッピングパターンが例示的に記載されている。
【０１９４】
３．２  データの単一の送信のためのホッピングパターン
【０１９５】
実施の形態において、時間ホッピングパターン、周波数ホッピングパターン或いは時間ホッピングパターンおよび周波数ホッピングパターンの組み合わせはホッピングパターンによるデータの単一の送信のために使用されるであろう。
【０１９６】
時間ホッピングパターンはそれぞれ２４のホップを有する以下の８つの時間ホッピングパターンの１つであろう：
【０１９７】
2020526129.tif 000051
表において、表の各行は時間ホッピングパターンであり、表の各列は各時間ホッピングパターンの２番目以降のホップであって、各前記時間ホッピングパターンは２４のホップを含むようになっており、表の各セルは、-好ましくは複数のシンボル区間における、各ホップの基準点の、直後のホップの同じ基準点までの時間間隔を示す。
【０１９８】
周波数ホッピングパターンはそれぞれ２４のホップを有する以下の８つの周波数ホッピングパターンの１つであろう：
【０１９９】
2020526129.tif 000052
表の各行は周波数ホッピングパターンであり、表の各列は各周波数ホッピングパターンのホップであり、表の各セルはＵＣＧ＿Ｃ０ないしＵＣＧ＿２３のキャリアにおける各周波数ホッピングパターンの各ホップの送信周波数を示す。
【０２００】
時間ホッピングパターンおよび周波数ホッピングパターンからのホッピングパターンの組み合わせにおいて、前記時間ホッピングパターンおよび前記周波数ホッピングパターンは、各前記表において行番号が同じである。
【０２０１】
３．３  データの繰り返し送信のためのホッピングパターン
【０２０２】
実施の形態において、２つのホッピングパターン（例えば、第１のホッピングパターンおよび第２のホッピングパターン）による繰り返しデータの送信のために、時間ホッピングパターン、周波数ホッピングパターンまたは時間ホッピングパターンおよび周波数ホッピングパターンの組み合わせが、それぞれ、使用される。
【０２０３】
時間ホッピングパターンはそれぞれ２４のホップを有する以下の８つの時間ホッピングパターンのうちの１つであろう。
【０２０４】
2020526129.tif 000053
表の各行は時間ホッピングパターンであり、表の各列は各前記時間ホッピングパターンの２番目以降のホップであって、各時間ホッピングパターンが２４のホップを含むようになっており、表の各セルは、-好ましくは複数のシンボル区間における、前記各ホップの基準点の、直後のホップの同じ基準点までの時間間隔を示す。
【０２０５】
周波数ホッピングパターンはそれぞれ２４のホップを有する以下の８つのホッピングパターンの１つであろう。
【０２０６】
2020526129.tif 000054
表の各行は周波数ホッピングパターンであり、表の各列は各周波数ホッピングパターンのホップであり、表の各セルはＵＣＧ＿Ｃ０ないしＵＣＧ＿２３のキャリアにおける各周波数ホッピングパターンの各ホップの送信周波数を示す。
【０２０７】
時間ホッピングパターンおよび周波数ホッピングパターンからのホッピングパターンの組み合わせにおいて、各時間ホッピングパターンおよび各周波数ホッピングパターンは、各表において同じ行数を有するであろう。
【０２０８】
実施の形態において、データパケットはホッピングパターンの各ホップにおいて複数のサブデータパケットの１つのサブデータパケットが送信されるようなホッピングパターンに従って複数のサブデータパケットへ分割され送信されるであろう。
【０２０９】
４．更なる実施の形態
【０２１０】
たとえいくつかの態様が装置の文脈の範囲内で記述されたとしても、前記態様は、装置のブロックまたは構造構成要素が対応する方法ステップとして、または、方法ステップの特徴として理解されもすることになっているように、対応する方法の説明も示すことが理解される。それとともに類似性によって、方法ステップの、または、それとしての文脈の範囲内でも記述された態様は、対応するブロックまたは詳細の説明または対応する装置の記述をも示す。方法ステップの一部または全部はマイクロプロセッサ、プログラマブルコンピュータ、電子回路などのハードウェアデバイス使用しながら実行することができる。いくつかの実施の形態において、いくつかまたは２，３の最も重要な方法ステップはそのような装置により実現されるであろう。
【０２１１】
特定の実装要件に従い、発明の実施の形態はハードウェアまたはソフトウェアにおいて実装されるであろう。実装は、デジタル記憶媒体、例えば、フロッピーディスク（フロッピーは登録商標）、ＤＶＤ、ブルーレイディスク、ＣＤ、ＲＯＭ、ＰＲＯＭ、ＥＰＲＯＭ、ＥＥＰＲＲＯＭまたはフラッシュメモリ、ハードディスク、または、各方法が実行されるようなプログラム可能なコンピュータシステムと協働可能か協働する電気的に読み取り可能な制御信号を有する他の磁気的或いは光学的なメモリを使用しながら可能になるであろう。これがデジタル記憶媒体がコンピュータ読み取り可能である理由である。
【０２１２】
発明に関するいくつかの実施形態はそれ故に、ここに記載した方法のいくつかが実行されるようなプログラム可能なコンピュータシステムをもった協働の機能を有する電気的に読み取り可能な制御信号を含むデータキャリアを含む。
【０２１３】
一般的に、本発明の実施の形態はプログラムコードを有するコンピュータプログラム製品として実現されるであろう、プログラムコードはコンピュータプログラムがコンピュータ上で実行されるときに方法のいくつかを実行するために効果的である。
【０２１４】
プログラムコードはまた、例えば、機械読み取り可能なキャリア上に保存されるであろう。
【０２１５】
他の実施の形態は、ここに記載した方法のいくつかを実行するためのコンピュータプログラムを含み、コンピュータプログラムは機械読み取り可能なキャリア上に保存されている。
【０２１６】
換言すれば、発明の方法の実施の形態はそれ故、コンピュータプログラムがコンピュータ上で実行するときに、ここに記載した方法のいくつかを実行するためのプログラムコードを有するコンピュータプログラムである。
【０２１７】
発明の方法の更なる実施の形態はそれ故、ここに記載した方法のいくつかを実行するためのコンピュータプログラムが記録されたデータキャリア（またはデジタル記憶媒体またはコンピュータにより読み取り可能な媒体）である。データキャリア、デジタル記憶媒体または記録媒体は、典型的には有形であり、または不揮発性である。
【０２１８】
発明の方法の更なる実施の形態は、それ故に、ここに記載した方法のいくつかを実行するためのコンピュータプログラムを示す信号のデータストリームまたはシーケンスである。データストリームまたは信号のシーケンスは、例えば、インターネットを介した、データ通信リンクを介して例えば送信するように、構成されるであろう。
【０２１９】
更なる実施の形態は、ここに記載した方法の何れかを実行するために設定または適合された処理ユニット、例えばコンピュータ或いはプログラム論理装置を含むであろう。
【０２２０】
さらなる実施の形態は、ここに記載された方法の何れかを実行するためのコンピュータプログラムがインストールされたコンピュータを含む。
【０２２１】
発明に関するさらなる実施の形態は、受信機に対しここで記載した少なくとも１つの方法を実行するためのコンピュータプログラムを送信するように構成されたデバイスまたはシステムを含む。送信は、例えば電気的または光学的であろう。受信機は、例えばコンピュータ、モバイルデバイス、メモリデバイスまたは類似のデバイスであろう。デバイスまたはシステムは、例えば、受信機にコンピュータプログラムを送信するためのファイルサーバを含むであろう。
【０２２２】
いくつかの実施の形態において、プログラム可能な論理デバイス（例えばＦＰＧＡといったフィールドプログラマブルゲートアレイ）が、ここに記載したいくつか或いはすべての機能を実行するために使用される。いくつかの実施の形態において、フィールドプログラマブルゲートアレイは、ここに記載した方法のいくつかを実現するためにマイクロプロセッサと協働する。一般的に、いくつかの実施の形態において、いくつかのハードデバイスにより、方法は実行される。上記のハードウェアデバイスは通常コンピュータプロセッサ（ＣＰＵ）、のような汎用のハードウェアであろうし、或いは、ＡＳＩＣのような、方法のために特化したハードウェアであろう。
【０２２３】
例えば、ここに記載した装置はハードウェアデバイスを使用して、またはコンピュータを使用して、またはハードウェアデバイスおよびコンピュータの組み合わせを使用して実装される。
【０２２４】
ここに記載した装置、またはここに記載した装置のいくつかの構成要素は、少なくともハードウェアおよび／またはソフトウェア（コンピュータプログラム）で部分的に実装される。
【０２２５】
例えば、ここに記載した方法は、ハードウェアデバイスを使用して、またはコンピュータを使用して、またはハードウェアデバイスおよびコンピュータの組み合わせを使用して実装されるであろう。
【０２２６】
ここに記載した方法は、またはここに記載した方法のいくつかの構成要素は、少なくとも部分的に実行されるおよび／またはソフトウェア（コンピュータプログラム）により実装されるであろう。
【０２２７】
上記の実施の形態は本発明の原理の描写を単に表すにすぎない。それは他の当業者であればここに記載された詳細の修正および変形を認識するであろうことが理解されるからである。これが本発明が実施形態の説明と議論によってではなく以下の特許請求の範囲によってのみ限定されていることが意図される理由である。
【符号の説明】
【０２２８】
１００  データ送信機
１０２  送信ユニット
１０４  アンテナ
１０６  受信ユニット
１１０  データ受信機
１１２  送信ユニット
１１４  アンテナ
１１６  受信ユニット
１２０  データ
１３８  電波フレーム
１４０  第３のホッピングパターン
１４０＿１  第１のホッピングパターン
１４０＿２  第２のホッピングパターン
１４２  サブデータパケット
１４４  同期シンボル
１４６  データシンボル
１４８  クラスター
１５０＿１  周波数チャンネル
１５０＿２  周波数チャンネル
１５６  発振器の周波数オフセットのための安全帯
１６０  方法
１６２  データを送信するステップ
１６４  データを送信するステップ
１７０  方法
１７２  データを受信するステップ
１７４  データを受信するステップ
２００  方法
２０２  ランダムな生成
２０４  複数のホッピングパターンからの選択
２０６  相互相関関数の計算
２０８  選択
２１０  方法
２１２  複数のホッピングパターンをランダムに生成するステップ
２１４  選択
２１６  相互相関関数の計算
２１８  ホッピングパターンの選択
２６０  方法
２６２  第１のステップ
２６４  第２のステップ
２６６  第３のステップ
２６８  第４のステップ
２７０  第５のステップ
２７２  第６のステップ
２７４  第７のステップ
２７６  第８のステップ
２７８  第９のステップ
２８０  第１０のステップ
２８２  第１１のステップ
２８４  第１２のステップ
２８６  第１３のステップ
２８８  第１４のステップ